(57)【特許請求の範囲】
【請求項１】
ユニット内を通過する空気に対して所定の処理を行う空気処理ユニット（１０）と、
前記空気処理ユニットから分離して設けられ、室外から室外空気を前記空気処理ユニットに送り且つ前記空気処理ユニットで処理された前記室外空気を室内に送る第１給気ファンユニット（２０ａ）及び第２給気ファンユニット（２０ｂ）と、
前記空気処理ユニットに接続され、前記空気処理ユニットで処理して室内に供給する前記室外空気を導く第１給気ダクト（６２ａ）及び第２給気ダクト（６２ｂ）と、
前記空気処理ユニットから分離して設けられ、室内から室内空気を前記空気処理ユニットに送り且つ前記空気処理ユニットで処理された前記室内空気を室外に送る排気ファンユニット（３０）と、
前記第１給気ファンユニット、前記第２給気ファンユニット及び前記排気ファンユニットを制御するコントローラ（４００）と
を備え、
前記第１給気ファンユニットが前記第１給気ダクトに接続され、前記第２給気ファンユニットが前記第２給気ダクトに接続され、
前記第１給気ファンユニット及び前記第２給気ファンユニットは、それぞれ、回転数可変の第１ファン（２２）と、前記第１ファンの風量または風量に相当する物理量である風量相当量を検出して第１検出値を出力する第１風量検出部（２３）とを有し、
前記排気ファンユニットは、回転数可変の第２ファン（３２）と、前記第２ファンの風量または風量に相当する物理量である風量相当量を検出して第２検出値を出力する第２風量検出部（３３）とを有し、
前記コントローラは、前記第１給気ファンユニット及び前記第２給気ファンユニットの各々において前記第１検出値に基づいて前記第１ファンの回転数を制御し、前記排気ファンユニットにおいて前記第２検出値に基づいて前記第２ファンの回転数を制御する、空気処理システム（１）。
【請求項２】
前記コントローラは、前記第１給気ファンユニット及び前記第２給気ファンユニットの各々に設けられている第１制御部（２４）と、前記排気ファンユニットに設けられている第２制御部（３４）とを含み、
前記第１給気ファンユニット前記第１制御部は、前記第１給気ファンユニットの前記第１ファンの風量を指示する第１指示値を前記第１給気ファンユニットの外から受信し、前記第１指示値と前記第１検出値とに基づいて前記第１給気ファンユニットの前記第１ファンの回転数を制御し、
前記第２給気ファンユニットの前記第１制御部は、前記第２給気ファンユニットの前記第１ファンの風量を指示する第１指示値を前記第２給気ファンユニットの外から受信し、前記第１指示値と前記第１検出値とに基づいて前記第２給気ファンユニットの前記第１ファンの回転数を制御し、
前記第２制御部は、前記第２ファンの風量を指示する第２指示値を前記排気ファンユニットの外から受信し、前記第２指示値と前記第２検出値とに基づいて前記第２ファンの回転数を制御する、
請求項１に記載の空気処理システム（１）。
【請求項３】
前記コントローラは、前記第１給気ファンユニットの前記第１指示値を前記第１給気ファンユニットの前記第１制御部に送信し、前記第２給気ファンユニットの前記第１指示値を前記第２給気ファンユニットの前記第１制御部に送信し、前記第２指示値を前記第２制御部に送信するメインコントローラを含む、
請求項２に記載の空気処理システム（１）。
【請求項４】
前記空気処理ユニットに接続され、室内から前記空気処理ユニットに取り込む前記室内空気を導く還気ダクト（７０）と、
前記空気処理ユニットに接続され、前記空気処理ユニットで処理して室外に排気する前記室内空気を導く排気ダクト（８０）と、
を備え、
前記排気ファンユニットは、前記還気ダクト及び前記排気ダクトの少なくとも一方に設けられ、前記還気ダクトから前記空気処理ユニットを通って前記排気ダクトに前記室内空気を流す、
請求項１から３のいずれか一項に記載の空気処理システム（１）。
【発明の詳細な説明】
【技術分野】
【０００１】
室内に送る室外空気に対して所定の処理を行う空気処理システム。
【背景技術】
【０００２】
従来からある空気処理システムとして、例えば、特許文献１（台湾実用新案Ｍ５６６８０１号）には、ケーシングに熱交換エレメントが配置されている全熱交換器が開示されている。ケーシングには、外部吸気口と、内部吸気口と、外部排気口と、内部排気口とが設けられている。特許文献１の全熱交換器は、ケーシングと分離して吸気口に配置される空気取入装置と、ケーシングと分離して排気口に配置される排気装置とを備えている。
【発明の概要】
【発明が解決しようとする課題】
【０００３】
特許文献１の全熱交換器では、空気取入装置と排気装置とが、ケーシングの容量に合わせてその個数を調節する。それによって、全熱交換器の省スペース化を図ることができる。しかしながら、特許文献１の全熱交換器は、風量を随時制御することができず、時々刻々変化する風量の変更要求に対応することができない。従来の全熱交換器は、特に、吹出口が複数ある場合に、各吹出口で随時風量を変更することが困難である。
【０００４】
空気処理システムには、随時変化する要求風量に応じて、風量の制御をするという課題がある。
【課題を解決するための手段】
【０００５】
第１観点の空気処理システムは、空気処理ユニットと、給気ファンユニットと、排気ファンユニットと、コントローラとを備える。空気処理ユニットは、ユニット内を通過する空気に対して所定の処理を行う。給気ファンユニットは、空気処理ユニットから分離して設けられ、室外から室外空気を空気処理ユニットに送り且つ空気処理ユニットで処理された室外空気を室内に送る。排気ファンユニットは、空気処理ユニットから分離して設けられ、室内から室内空気を空気処理ユニットに送り且つ空気処理ユニットで処理された室内空気を室外に送る。コントローラは、給気ファンユニット及び排気ファンユニットを制御する。給気ファンユニットは、回転数可変の第１ファンと、第１ファンの風量または風量に相当する物理量である風量相当量を検出して第１検出値を出力する第１風量検出部とを有す。排気ファンユニットは、回転数可変の第２ファンと、第２ファンの風量または風量に相当する物理量である風量相当量を検出して第２検出値を出力する第２風量検出部とを有する。コントローラは、第１検出値に基づいて第１ファンの回転数を制御し、第２検出値に基づいて第２ファンの回転数を制御する。
【０００６】
第１観点のシステムは、空気処理システムにおいて風量の変更が必要なときには、給気ファンユニットと排気ファンユニットでは、第１検出値及び第２検出値に基づいて第１ファン及び第２ファンの回転数を制御できる。その結果、空気処理システムにおいて風量の変更が必要なときには、必要に応じた適切な風量の変更を行うことができる。
【０００７】
第２観点の空気処理システムは、第１観点のシステムであって、コントローラは、給気ファンユニットに設けられている第１制御部と、排気ファンユニットに設けられている第２制御部とを含む。第１制御部は、第１ファンの風量を指示する第１指示値を給気ファンユニットの外から受信し、第１指示値と第１検出値とに基づいて第１ファンの回転数を制御する。第２制御部は、第２ファンの風量を指示する第２指示値を排気ファンユニットの外から受信し、第２指示値と第２検出値とに基づいて第２ファンの回転数を制御する。
【０００８】
第２観点のシステムは、給気ファンユニット及び排気ファンユニットに第１制御部及び第２制御部が設けられていることで、給気ファンユニットと排気ファンユニットの設置時及び増設時の制御系統の構築が容易になる。
【０００９】
第３観点の空気処理システムは、第２観点のシステムであって、前記コントローラは、前記第１指示値を前記第１制御部に送信し、前記第２指示値を前記第２制御部に送信するメインコントローラを含む。
【００１０】
第３観点のシステムは、空気処理システムは、同一の空気処理ユニットに給気ファンユニットと排気ファンユニットが接続されていることで、メインコントローラから第１指示値及び第２指示値を受け取ることにより、給気ファンユニット及び排気ファンユニットの第１制御部及び第２制御部は第１指示値及び第２指示値を算出する必要がなくなる。その結果、給気ファンユニット及び排気ファンユニットの第１制御部及び第２制御部の負荷が軽減される。
【００１１】
第４観点の空気処理システムは、第１観点から第３観点のいずれかのシステムであって、外気ダクトと、給気ダクトと、還気ダクトと、排気ダクトとを備える。外気ダクトは、空気処理ユニットに接続され、室外から空気処理ユニットに取り込む室外空気を導く。給気ダクトは、空気処理ユニットに接続され、空気処理ユニットで処理して室内に供給する室外空気を導く。還気ダクトは、空気処理ユニットに接続され、室内から空気処理ユニットに取り込む室内空気を導く。排気ダクトは、空気処理ユニットに接続され、空気処理ユニットで処理して室外に排気する室内空気を導く。給気ファンユニットは、外気ダクト及び給気ダクトの少なくとも一方に設けられている。給気ファンユニットは、外気ダクトから空気処理ユニットを通って給気ダクトに室外空気を流す。排気ファンユニットは、還気ダクト及び排気ダクトの少なくとも一方に設けられている。排気ファンユニットは、給気ダクトから空気処理ユニットを通って排気ダクトに室内空気を流す。
【００１２】
第５観点の空気処理システムは、第４観点のシステムであって、前記給気ファンユニットは、前記給気ダクトに接続されている。前記排気ファンユニットは、前記排気ダクトに接続されている。
【００１３】
第６観点の空気処理システムは、第４観点のシステムであって、前記給気ファンユニットは、前記給気ダクトに接続されている。前記排気ファンユニットは、前記還気ダクトに接続されている。
【００１４】
第７観点の空気処理システムは、第６観点のシステムであって、排気ファンユニットは、第１排気ファンユニットと第２排気ファンユニットを含む。還気ダクトは、室内空気を導く第１還気ダクト及び第２還気ダクトを含む。第１排気ファンユニットが第１還気ダクトに接続され、第２排気ファンユニットが第２還気ダクトに接続されている。
【００１５】
第７観点のシステムは、排気の負荷を第１排気ファンユニットと第２排気ファンユニットに分けて分担させることで１台当たりの風量を減らすことができ、騒音を低減することができる。
【００１６】
第8観点の空気処理システムは、第４観点から第７観点のいずれかのシステムであって、前記給気ファンユニットは、第１給気ファンユニットと第２給気ファンユニットを含む。前記給気ダクトは、室内に前記室外空気を導く第１給気ダクト及び第２給気ダクトを含む。前記第１給気ファンユニットが前記第１給気ダクトに接続され、前記第２給気ファンユニットが前記第２給気ダクトに接続されている。
【００１７】
第８観点のシステムは、給気ファンユニットを第１給気ファンユニットと第２給気ファンユニットに分けることで１台当たりの風量を減らすことができ、騒音を低減することができる。
【図面の簡単な説明】
【００１８】
【図１】実施形態に係る空気処理システムの構成の一例を示す模式図。
【図２】空気処理システムと室内及び室内との関係の一例を示す模式図。
【図３】室外空気と供給空気の流れを説明するための空気処理ユニットの断面側面図。
【図４】室内空気と排出空気の流れを説明するための空気処理ユニットの断面側面図。
【図５】全熱交換エレメントの一例を示す斜視図。
【図６】給気ファンユニット及び排気ファンユニットの構成の一例を示す模式図。
【図７】ファンユニットのファンの一例を示す模式的な断面図。
【図８】制御系統の一例を示すブロック図。
【図９】変形例Ａに係る空気処理システムの構成の一例を示す模式図。
【図１０】変形例Ｂに係る空気処理システムの構成の一例を示す模式図。
【図１１】空気調和システムの構成の概要を示す模式図。
【図１２】熱交換器ユニット、ダクト、ファンユニットおよび吹出口ユニットの接続の一例を示す模式的な斜視図。
【図１３】ファンユニットの送風ファンの一例を示す断面図。
【図１４】制御系統の一例を示すブロック図。
【図１５】ファンユニットの構成の他の例を示す模式図。
【図１６】空調用メインコントローラと空調用ファンコントローラの接続関係を説明するためのブロック図。
【図１７】空調用メインコントローラと空調用ファンコントローラの接続関係の一例を説明するためのブロック図。
【図１８】空調用メインコントローラと空調用ファンコントローラの接続関係の他の例を説明するためのブロック図。
【図１９】空調用メインコントローラと空調用ファンコントローラの接続関係の他の例を説明するためのブロック図。
【図２０】空調用メインコントローラと空調用ファンコントローラの接続関係の他の例を説明するためのブロック図。
【図２１】空調用メインコントローラと空調用ファンコントローラの接続関係の他の例を説明するためのブロック図。
【図２２】空調用メインコントローラと空調用ファンコントローラの接続関係の他の例を説明するためのブロック図。
【図２３】変形例Ｋに係る空気調和システムの構成を示す概念図。
【図２４】図２３のコントローラの構成を説明するためのブロック図。
【図２５】変形例Ｋに係る空気調和システムの構成の他の例を示す概念図。
【図２６】図２５のコントローラの構成を説明するためのブロック図。
【発明を実施するための形態】
【００１９】
（１）全体構成
（１−１）空気処理システム
図１に示されているように、空気処理システム１は、空気処理ユニット１０と、給気ファンユニット２０と、排気ファンユニット３０とを備え、図２に示されているように、コントローラ４０を備えている。図１には、建物ＢＬの１フロアの天井裏に配置された空気処理システム１が示されている。空気処理ユニット１０は、ユニット内を通過する空気に対して所定の処理を行うユニットである。所定の処理には、空気の中の塵埃を除去するフィルタリング、空気の温度の変更、空気の湿度の変更、空気の中の所定の化学成分を除去するフィルタリング、空気の中の所定の病原体を除去するフィルタリングが含まれる。塵埃には、例えば、花粉、黄砂、PM2.5が含まれる。所定の化学成分には、例えば、臭気物質が含まれる。
【００２０】
図１に示されている空気処理ユニット１０は、自身でユニット内の空気の流れを発生させる機能を有していない。具体的には、空気処理ユニット１０は、ファンを有していない。そのため、空気処理システム１では、空気処理ユニット１０のユニット内の空気の流れを、給気ファンユニット２０と排気ファンユニット３０が発生させる。
【００２１】
空気処理システム１の複数の給気ファンユニット２０は、空気処理ユニット１０から分離して設けられている。空気処理システム１の複数の排気ファンユニット３０は、空気処理ユニット１０から分離して設けられている。
【００２２】
図２に、空気処理システム１について、室内ＳＩから室外ＳＯへの空気の流れと、室外ＳＯから室外ＳＯへの空気の流れが模式的に示されている。図１には、複数の給気ファンユニット２０と複数の排気ファンユニット３０が示されているが、図２には、それらの中の１つの給気ファンユニット２０と１つの排気ファンユニット３０の空気の流れを例示している。室内ＳＩは、室外ＳＯから分離された空間であり、空調の対象となっている空調対象空間である。室外ＳＯは、新鮮な空気である室外空気ＯＡの供給源である。給気ファンユニット２０は、室外ＳＯから室外空気ＯＡを空気処理ユニット１０に送り、且つ空気処理ユニット１０で処理された室外空気ＯＡを室内ＳＩに送る。言い換えると、給気ファンユニット２０が駆動して送風することで、室外ＳＯから空気処理ユニット１０を経由して室内ＳＩに流れる空気の流れが発生する。空気処理システム１から室内ＳＩに供給される空気が、供給空気ＳＡである。
排気ファンユニット３０は、室内ＳＩから室内空気ＲＡを空気処理ユニット１０に送り、且つ空気処理ユニット１０で処理された室内空気ＲＡを室外ＳＯに送る。言い換えると、排気ファンユニット３０が駆動して送風することで、室内ＳＩから空気処理ユニット１０を経由して室外ＳＯに流れる空気の流れが発生する。空気処理システム１から室外ＳＯに排気される空気が、排出空気ＥＡである。
【００２３】
複数の給気ファンユニット２０は、それぞれ、回転数を変更することのできる第１ファン２２を有している。また、複数の給気ファンユニット２０は、それぞれ、第１ファン２２の風量または風量に相当する物理量である風量相当量を検出して第１検出値を出力する第１風量検出部２３を有している。複数の排気ファンユニット３０は、それぞれ、回転数を変更することのできる第２ファン３２を有している。また、複数の排気ファンユニット３０は、それぞれ、第２ファン３２の風量または風量に相当する物理量である風量相当量を検出して第２検出値を出力する第２風量検出部３３を有している。
【００２４】
複数の給気ファンユニット２０及び複数の排気ファンユニット３０がコントローラ４０により制御されている。コントローラ４０は、それぞれの給気ファンユニット２０において、第１風量検出部２３の第１検出値に基づいて第１ファン２２の回転数を制御する。また、コントローラ４０は、それぞれの排気ファンユニット３０において、第２風量検出部３３の第２検出値に基づいて第２ファン３２の回転数を制御する。
【００２５】
空気処理システム１では、例えば、複数の給気ファンユニット２０の全てで室内ＳＩに供給する供給空気ＳＡの供給量を増加させる場合、コントローラ４０が、全ての第１ファン２２の回転数を増加させる制御を行う。例えば、図１の３つの給気ファンユニット２０の各々で供給量を１００ＣＨＭ増加させて、全体で３００ＣＨＭの供給量の増加をさせる場合、コントローラ４０は、各第１ファン２２に風量を１００ＣＨＭ増加させるように指示し、各第１風量検出部２３でその増加分を検出する。コントローラ４０は、それぞれの給気ファンユニット２０で、各第１風量検出部２３で検出する増加分が１００ＣＨＭになるように、各第１ファン２２の回転数を調節する。
【００２６】
また、空気処理システム１では、３つの給気ファンユニット２０で供給量を３００ＣＨＭ増加させる場合、２つの排気ファンユニット３０で排気量を３００ＣＨＭ増加させる。この場合、コントローラ４０は、各第２ファン３２に風量を１５０ＣＨＭ増加させるように指示し、各第２風量検出部３３でその増加分を検出する。コントローラ４０は、それぞれの排気ファンユニット３０で、各第２風量検出部３３で検出する増加分が１５０ＣＨＭになるように、各第２ファン３２の回転数を調節する。このように、空気処理システム１において風量の変更が必要な時には、コントローラ４０により、給気量と排気量のバランスを取りながら必要に応じた風量の変更を行うことができる。
【００２７】
（２）詳細構成
（２−１）空気処理システム１の空気流路
図２に示されているように、空気処理システム１は、外気ダクト５０と給気ダクト６０と還気ダクト７０と排気ダクト８０とを備えている。外気ダクト５０と給気ダクト６０と還気ダクト７０と排気ダクト８０は、空気処理ユニット１０に接続されている。
【００２８】
外気ダクト５０は、空気処理ユニット１０に取り込む室外空気ＯＡを室外ＳＯから空気処理ユニット１０に導く。換言すると、外気ダクト５０は、室外ＳＯから空気処理ユニット１０に繋がる空気流路を構成する。外気ダクト５０は、室外ＳＯに向けて開口している開口部４まで延びている。給気ダクト６０は、空気処理ユニット１０で処理して室内ＳＩに供給する室外空気ＯＡを空気処理ユニット１０から室内ＳＩに導く。換言すると、給気ダクト６０は、空気処理ユニット１０から室内ＳＩに繋がる空気流路を構成する。給気ダクト６０は、室内ＳＩに向けて開口している吹出口２まで延びている。
【００２９】
還気ダクト７０は、室内ＳＩから空気処理ユニット１０に取り込む室内空気ＲＡを室内ＳＩから空気処理ユニット１０に導く。換言すると、還気ダクト７０は、室内ＳＩから空気処理ユニット１０に繋がる空気流路を構成する。還気ダクト７０は、室内ＳＩに向けて開口している吸込口３まで延びている。排気ダクト８０は、空気処理ユニット１０で処理して室外ＳＯに排気する室内空気ＲＡを空気処理ユニット１０から室外ＳＯに導く。換言すると、排気ダクト８０は、空気処理ユニット１０から室外ＳＯに繋がる空気流路を構成する。排気ダクト８０は、室外ＳＯに向けて開口している開口部５まで延びている。
【００３０】
さらに具体的には、空気処理システム１には、図１に示されているように、分岐チャンバ９１，９２が設けられている。分岐チャンバ９１により、給気ダクト６０は、例えば、１つの主ダクト６１から複数の分岐ダクト６２に枝分かれしている。換言すると、この給気ダクト６０は、１つの主ダクト６１と、分岐チャンバ９１と、複数の分岐ダクト６２を含んでいる。ここでは、分岐チャンバ９１が１つである場合について説明しているが、分岐チャンバ９１が複数あって、上流側の分岐チャンバ９１で分岐した給気ダクト６０を、上流側の分岐チャンバ９１の下流で、下流側の分岐チャンバ９１によりさらに分岐してもよい。
【００３１】
また、分岐チャンバ９２により、還気ダクト７０は、例えば、１つの主ダクト７１から複数の分岐ダクト７２に枝分かれしている。換言すると、この還気ダクトと７０は、１つの主ダクト７１と、分岐チャンバ９２と、複数の分岐ダクト７２を含んでいる。ここでは、分岐チャンバ９２が１つである場合について説明しているが、分岐チャンバ９２が複数あって、上流側の分岐チャンバ９２で分岐した還気ダクトと７０を、上流側の分岐チャンバ９２の下流で、下流側の分岐チャンバ９２によりさらに分岐してもよい。
【００３２】
（２−２）給気ファンユニット２０と排気ファンユニット３０の配設
各給気ファンユニット２０は、各給気ダクト６０に接続されている。図１に示されている空気処理システム１では、３つの分岐ダクト６２の各々に給気ファンユニット２０が接続されている。ここでは、各給気ファンユニット２０が各分岐ダクト６２の途中に接続されているが、接続される位置は分岐ダクト６２の途中には限られない。例えば、吹出口２の近傍の分岐ダクト６２の端部に接続されてもよい。
【００３３】
各排気ファンユニット３０は、各還気ダクト７０に接続されている。図１に示されている空気処理システム１では、２つの分岐ダクト７２の各々に排気ファンユニット３０が接続されている。ここでは、各排気ファンユニット３０が各分岐ダクト７２の途中に接続されているが、接続される位置は分岐ダクト７２の途中には限られない。例えば、吸込口３の近傍の分岐ダクト７２の端部に接続されてもよい。
【００３４】
異なる給気ファンユニット２０を互いに区別する場合には、第１給気ファンユニット２０ａ、第２給気ファンユニット２０ｂ、第３給気ファンユニット２０ｃのように符号にアルファベットを付して記載する。異なる排気ファンユニット３０を互いに区別する場合、異なる分岐ダクト６２を互いに区別する場合、異なる分岐ダクト７２を互いに区別する場合も、同様である。図１の空気処理システム１では、複数の給気ファンユニット２０が第１給気ファンユニット２０ａと第２給気ファンユニット２０ｂと第３給気ファンユニット２０ｃを含んでいる。図１の空気処理システム１では、複数の排気ファンユニット３０が第１排気ファンユニット３０ａと第２排気ファンユニット３０ｂを含んでいる。また、図１の空気処理システム１では、複数の給気ダクト６０が第１分岐ダクト６２ａと第２分岐ダクト６２ｂと第３分岐ダクト６２ｃとを含み、複数の還気ダクト７０が第１分岐ダクト７２ａ及び第２分岐ダクト７２ｂを含んでいる。第１給気ファンユニット２０ａは、第１分岐ダクト６２ａに接続されている。第２給気ファンユニット２０ｂが第２分岐ダクト６２ｂに接続されている。第３給気ファンユニット２０ｃが第３分岐ダクト６２ｃに接続されている。また、第１排気ファンユニット３０ａは、第１分岐ダクト７２ａに接続されている。第２排気ファンユニット３０ｂが第２還気ダクト７０ｂに接続されている。
【００３５】
（２−３）空気処理ユニット１０
この実施形態の空気処理ユニット１０は、全熱交換器である。図２から図４に示されているように、空気処理ユニット１０は、ハウジング１１、全熱交換エレメント１２、第１フィルタ１３、第２フィルタ１４を有している。ハウジング１１は、内部に、略四角柱形状の全熱交換エレメント１２を収容している。ハウジング１１には、外気ダクト５０に接続するための開口１１ａ、給気ダクト６０に接続するための開口１１ｂ、還気ダクト７０に接続するための開口１１ｃ、及び排気ダクト８０に接続するための開口１１ｄが設けられている。
【００３６】
ハウジング１１の中の空間は、主に、第１空間ＳＰ１、第２空間ＳＰ２、第３空間ＳＰ３及び第４空間ＳＰ４の４つに分割されている。第１空間ＳＰ１は、全熱交換エレメント１２に対して外気ダクト５０の側に設けられている。第２空間ＳＰ２は、全熱交換エレメント１２に対して給気ダクト６０の側に設けられている。第３空間ＳＰ３は、全熱交換エレメント１２に対して還気ダクト７０の側に設けられている。第４空間ＳＰ４は、全熱交換エレメント１２に対して排気ダクト８０の側に設けられている。従って、外気ダクト５０により、室外ＳＯと第１空間ＳＰ１とが繋がる。給気ダクト６０により、室内ＳＩと第２空間ＳＰ２とが繋がる。還気ダクト７０により、室内ＳＩと第３空間ＳＰ３とが繋がる。排気ダクト８０により、室外ＳＯと第４空間ＳＰ４とが繋がる。
【００３７】
図３の側面視断面図および図２に示されているように、室外ＳＯの室外空気ＯＡは、給気ファンユニット２０が駆動することで、外気ダクト５０を介して、全熱交換エレメント１２に至る。さらに、全熱交換エレメント１２を通過した空気は、給気ダクト６０を介して、新鮮な供給空気ＳＡとして室内ＳＩに供給される。図４の側面視断面図および図２に示すように、室内ＳＩの室内空気ＲＡは、排気ファンユニット３０が駆動することで、還気ダクト７０を介して、全熱交換エレメント１２に至る。さらに、全熱交換エレメント１２を通過した空気は、排出空気ＥＡとなって室外ＳＯに排出される。この全熱交換エレメント１２は、図５に示されているように、室内空気ＲＡと室外空気ＯＡとが互いに混ざり合うことがないようにしつつ室内空気ＲＡと室外空気ＯＡとの間で全熱交換を行わせる。言い換えると、全熱交換エレメント１２は、室内空気ＲＡと室外空気ＯＡとの間で、潜熱交換と顕熱交換を同時且つ連続的に行わせる。
【００３８】
第１フィルタ１３は、全熱交換エレメント１２のうち、第３空間ＳＰ３に露出している部分を覆うように配置されている。第２フィルタ１４は、全熱交換エレメント１２のうち、第１空間ＳＰ１に露出している部分を覆うように配置されている。これにより、室外空気ＯＡおよび室内空気ＲＡのいずれの空気についても、全熱交換エレメント１２に供給する前に埃を除去することができ、全熱交換エレメント１２内に集塵が流入することを防ぐことができている。
【００３９】
（２−４）給気ファンユニット２０と排気ファンユニット３０
複数の給気ファンユニット２０は、それぞれ、図６に示されているように、ユニットケーシング２１と、第１ファン２２と、第１風量検出部２３と、ファンコントローラ２４とを備えている。複数の排気ファンユニット３０は、それぞれ、図６に示されているように、ユニットケーシング３１と、第２ファン３２と、第２風量検出部３３と、ファンコントローラ３４とを備えている。各ユニットケーシング２１は、吸気口２６と吹出口２７を有している。ユニットケーシング２１は、吸気口２６から入って吹出口２７より出る空気が通過する所定形状の空間を有する筐体である。各ユニットケーシング２１の吸気口２６は、空気処理ユニット１０に連通するように接続されている。各ユニットケーシング２１の吹出口２７には、各第１ファン２２の吹出口が接続される。第１ファン２２から吹出された調和空気は、吹出口２から吹出される。各ユニットケーシング３１は、吸気口３６と吹出口３７を有している。ユニットケーシング３１は、吸気口３６から入って吹出口３７より出る空気が通過する所定形状の空間を有する筐体である。各ユニットケーシング３１の吸気口３６は、各吸込口３に連通するように接続されている。各ユニットケーシング３１の吹出口３７には、各第２ファン３２の吹出口が接続される。第２ファン３２から吹出された室内空気ＲＡは、空気処理ユニット１０を介して開口部５から吹出される。説明を分かりやすくするため、各給気ファンユニット２０と各排気ファンユニット３０の構成に同じものを用いる場合について以下説明するので、以下では、給気ファンユニット２０について説明して排気ファンユニット３０の説明を省略する場合がある。しかし、例えば、ユニットケーシング２１，３１、第１ファン２２と第２ファン３２、第１風量検出部２３と第２風量検出部３３のうちの少なくとも一つを複数の給気ファンユニット２０及び複数の排気ファンユニット３０で異ならせて、複数の給気ファンユニット２０及び複数の排気ファンユニット３０の構成を異なるものとすることはできる。
【００４０】
各ユニットケーシング２１の中には、第１ファン２２と第１風量検出部２３が収容されている。第１ファン２２は、ファンケーシング２９を有している（図７参照）。各第１ファン２２は、回転数を変更することができる。第１ファン２２は、ユニットケーシング２１の中の所定の位置に固定され、ファンケーシング２９の出口２９ｂがユニットケーシング２１の吹出口２７に接続されている。ファンケーシング２９の入口２９ａは、ユニットケーシング２１の内部空間の所定位置に配置されている。例えば、第１ファン２２には、遠心ファンを用いることができる。第１ファン２２として用いられる遠心ファンには、例えばシロッコファンがある。図７には、第１ファン２２の一例として、シロッコファンが示されている。第１ファン２２は、ファンケーシング２９の中にファンロータ２５を回転できるように収納している。ファンロータ２５を回転させるのが、ファンモータ２８である。第１ファン２２の回転数とは、ファンロータ２５の回転数と言い換えることができる。第１ファン２２は、ファンモータ２８の回転数を増加させることでファンロータ２５の回転数を増加させて風量を増加させる。また、第１ファン２２は、ファンモータ２８の回転数を減少させることでファンロータ２５の回転数を減少させて風量を減少させる。第１ファン２２の吹出口がユニットケーシング２１の吹出口２７に接続されていることから、第１ファン２２の風量が、吹出口２から供給される供給空気量と一致する。従って、第１ファン２２は、ファンモータ２８の回転数を変えることによって供給空気量を変更することができる。ユニットケーシング２１には、ファンコントローラ２４が取り付けられている。ここでは、全てのファンコントローラ２４が、メインコントローラ４１に接続されている。ファンコントローラ２４は、ファンモータ２８に接続されており、ファンモータ２８の回転数を制御することができる。
【００４１】
各排気ファンユニット３０のユニットケーシング３１の中に、第２ファン３２と第２風量検出部３３が収容され、例えば、第２ファン３２には、遠心ファン、特にシロッコファンを用いることができる点は、給気ファンユニット２０の場合と同様である。また、排気ファンユニット３０において第２ファン３２が、ファンケーシング３９の中にファンロータ３５を回転できるように収納し、ファンロータ３５を回転させるのが、ファンモータ３８である点も、給気ファンユニット２０と同様である。
【００４２】
各給気ファンユニット２０の第１風量検出部２３及び排気ファンユニット３０の第２風量検出部３３は、第１ファン２２及び第２ファン３２の風量または風量に相当する物理量である風量相当量を検出する。第１風量検出部２３と第２風量検出部３３を同じように構成する場合について以下説明するので、以下では、第１風量検出部２３について説明し、第２風量検出部３３についての説明を省略する。第１ファン２２の風量を検出する場合には、第１風量検出部２３は、風量センサを含む。第１ファン２２の風量に相当する物理量である風量相当量を検出する場合には、第１風量検出部２３は、例えば、風速センサ、差圧センサまたは圧力センサを含む。風量センサで風量を検出する場合には、ユニットケーシング２１の中の所定箇所に風量センサを設置する。ユニットケーシング２１、第１ファン２２、吸気口２６、吹出口２７及び風量センサの形状及び配置位置が決まっているので、設置した風量センサの測定値と第１ファン２２の風量との関係を実験で確認する。ファンコントローラ２４は、例えば、風量センサの測定値と第１ファン２２の風量との関係を示すテーブルを記憶している。
【００４３】
また、風量相当量として風速を検出する場合には、第１風量検出部２３は、ユニットケーシング２１の中の所定箇所の風速を検出する風速センサを含む。ユニットケーシング２１、第１ファン２２、吸気口２６、吹出口２７及び風速センサの形状及び配置位置が決まっているので、設置した風速センサの測定値と第１ファン２２の風量との関係を実験で確認する。ファンコントローラ２４は、例えば、風速センサの測定値と第１ファン２２の風量との関係を示すテーブルを記憶している。
【００４４】
また、風量相当量として差圧を検出する場合には、第１風量検出部２３は、ユニットケーシング２１の中の所定の２箇所の静圧の差を検出する差圧センサを含む。ユニットケーシング２１、第１ファン２２、吸気口２６、吹出口２７及び差圧センサの形状及び配置位置が決まっているので、設置した差圧センサの測定値と第１ファン２２の風量との関係を実験で確認する。ファンコントローラ２４は、例えば、差圧センサの測定値と第１ファン２２の風量との関係を示すテーブルを記憶している。
【００４５】
また、風量相当量として静圧を検出する場合には、第１風量検出部２３は、ユニットケーシング２１の中の所定箇所の静圧を検出する圧力センサを含む。ユニットケーシング２１、第１ファン２２、吸気口２６、吹出口２７及び圧力センサの形状及び配置位置が決まっているので、設置した圧力センサの測定値と第１ファン２２の風量との関係を実験で確認する。ファンコントローラ２４は、例えば、圧力センサの測定値と第１ファン２２の風量との関係を示すテーブルを記憶している。
【００４６】
なお、測定値から風量を決定する方法は上述のテーブルを用いて風量に換算する方法に限られるものではなく、テーブルに代えて、ファンコントローラ２４，３４は、例えば、各パラメータと風量との関係を示す関係式を用いて測定値から風量を算出するように構成されてもよい。
【００４７】
ファンコントローラ２４は、メインコントローラ４１から第１ファン２２の風量の第１指示値を受信する。ファンコントローラ２４は、風量の第１指示値と、第１風量検出部２３が検出した風量または風量相当量の検出値とに基づいて、第１ファン２２の回転数を制御する。ファンコントローラ２４は、例えば、検出値の示す風量が第１指示値に近づくように第１ファン２２の回転数を制御する。具体的には、ファンコントローラ２４は、検出値の示す風量が第１指示値よりも大きければ、第１ファン２２の回転数を下げ、検出値の示す風量が第１指示値よりも小さければ、第１ファン２２の回転数を上げる。
【００４８】
ファンコントローラ３４は、メインコントローラ４１ら第２ファン３２の風量の第２指示値を受信する。ファンコントローラ３４は、風量の第２指示値と、第２風量検出部３３が検出した風量または風量相当量の検出値とに基づいて、第２ファン３２の回転数を制御する。ファンコントローラ３４は、例えば、検出値の示す風量が第２指示値に近づくように第２ファン３２の回転数を制御する。具体的には、ファンコントローラ３４は、検出値の示す風量が第２指示値よりも大きければ、第２ファン３２の回転数を下げ、検出値の示す風量が第２指示値よりも小さければ、第２ファン３２の回転数を上げる。
【００４９】
ファンコントローラ２４，３４は、例えば、リモートコントローラ１６０と関連付けされている。例えば、リモートコントローラ１６０に設定風量が入力された場合、メインコントローラ４１は、給気ファンユニット２０と排気ファンユニット３０のファンコントローラ２４，３４に、リモートコントローラ１６０に設定風量に応じた第１指示値及び第２指示値を送信する。そのために、メインコントローラ４１は、第１指示値及び第２指示値を、リモートコントローラ１６０の入力である設定風量に基づいて決定する。例えば、検出値の示す風量と設定風量が一致しているときの第１指示値及び第２指示値を受信していたファンコントローラ２４，３４が、それよりも大きな第１指示値及び第２指示値を受信したときには、第１ファン２２及び第２ファン３２の回転数を増加させて第１ファン２２及び第２ファン３２の風量を増加させる。
【００５０】
（２−５）制御系統
図８に示されているように、コントローラ４０が、メインコントローラ４１と、ファンコントローラ２４，３４とを含んでいる。メインコントローラ４１は、複数のファンコントローラ２４，３４に接続されている。メインコントローラ４１は、各ファンコントローラ２４，３４を介して各リモートコントローラ１６０に接続されている。リモートコントローラ１６０は、例えば、吹出口２或いは吹出口２と吸込口３の両方に対応しており、給気ファンユニット２０と排気ファンユニット３０に接続されている。ここでは、リモートコントローラ１６０がファンコントローラ２４，３４を介してメインコントローラ４１に接続される場合について説明しているが、リモートコントローラ１６０を直接メインコントローラ４１に接続してもよい。また、ここでは、メインコントローラ４１と複数のファンコントローラ２４，３４と複数のリモートコントローラ１６０が、有線で接続されている場合を示しているが、これらの全てまたは一部が無線通信によって接続されてもよい。
【００５１】
メインコントローラ４１と複数のファンコントローラ２４，３４と複数のリモートコントローラ１６０は、それぞれ、例えばコンピュータにより実現されるものである。メインコントローラ４１と複数のファンコントローラ２４，３４と複数のリモートコントローラ１６０を構成するコンピュータは、制御演算装置と記憶装置とを備える。制御演算装置には、ＣＰＵ又はＧＰＵといったプロセッサを使用できる。制御演算装置は、記憶装置に記憶されているプログラムを読み出し、このプログラムに従って所定の画像処理や演算処理を行う。さらに、制御演算装置は、プログラムに従って、演算結果を記憶装置に書き込んだり、記憶装置に記憶されている情報を読み出したりすることができる。しかし、メインコントローラ４１と複数のファンコントローラ２４，３４と複数のリモートコントローラ１６０は、ＣＰＵとメモリを用いて行うのと同様の制御を行うことができる集積回路（ＩＣ）を用いて構成されてもよい。ここでいうＩＣには、ＬＳＩ（large-scale integrated circuit）、ＡＳＩＣ（application-specific integrated circuit）、ゲートアレイ、ＦＰＧＡ（field programmable gate array）等が含まれる。
【００５２】
給気ファンユニット２０には、第１風量検出部２３が配置されている。排気ファンユニット３０には、第２風量検出部３３が配置されている。第１風量検出部２３は、例えば、給気ファンユニット２０のユニットケーシング２１を通過する風量を検出する。第２風量検出部３３は、例えば、排気ファンユニット３０のユニットケーシング３１を通過する風量を検出する。第１風量検出部２３は、ファンコントローラ２４に接続されており、ファンコントローラ２４に検出した第１検出値のデータを送信する。第２風量検出部３３は、ファンコントローラ３４に接続されており、ファンコントローラ３４に検出した第２検出値のデータを送信する。なお、第１風量検出部２３及び第２風量検出部３３は、逆流を検知できるように、風向を検出することができるように構成してもよい。
【００５３】
複数のリモートコントローラ１６０は、それぞれ、空気処理システム１及び／または給気ファンユニット２０と排気ファンユニット３０の運転のオン・オフの指示、設定風量を入力できるように構成されている。設定風量は例えば、数値で入力できるように構成されている。
【００５４】
（３）特徴
（３−１）
以上説明したように、空気処理システム１では、コントローラ４０が、給気ファンユニット２０の第１風量検出部２３の第１検出値に基づいて第１ファン２２の回転数を制御でき、排気ファンユニット３０の第２風量検出部３３の第２検出値に基づいて第２ファン３２の回転数を制御できる。その結果、空気処理システム１においては、風量の変更が必要なときに、給気ファンユニット２０と排気ファンユニット３０により、必要に応じた適切な風量の変更を行うことができる。
【００５５】
（３−２）
給気ファンユニット２０には、第１制御部であるファンコントローラ２４が設けられ、排気ファンユニット３０には、第２制御部であるファンコントローラ３４が設けられている。これらファンコントローラ２４，３４が、第１ファン２２及び第２ファン３２の風量を指示する第１指示値及び第２指示値を給気ファンユニット２０及び排気ファンユニット３０の外から受信する。そして、第１指示値及び第２指示値と第１検出値及び第２検出値とに基づいて第１ファン２２及び第２ファン３２の回転数を制御するファンコントローラ２４，３４が設けられていることで、給気ファンユニット２０と排気ファンユニット３０の設置時及び増設時の制御系統の構築が容易になる。
【００５６】
（３−３）
上述の空気処理システム１は、同一の空気処理ユニット１０に給気ファンユニット２０と排気ファンユニット３０が接続されていることで、メインコントローラ４１から第１指示値及び第２指示値を受け取る。受け取った第１指示値及び第２指示値を用いることで、給気ファンユニット２０及び排気ファンユニット３０のファンコントローラ２４，３４は、第１指示値及び第２指示値を算出する必要がなくなり、制御の負荷が軽減される。
【００５７】
（３−４）
複数の排気ファンユニット３０は、第１排気ファンユニット３０ａと第２排気ファンユニット３０ｂを含んでいる。第１排気ファンユニット３０ａが第１分岐ダクト７２ａに接続され、第２排気ファンユニット３０ｂが第２分岐ダクト７２ｂに接続されている。そのため、排気の負荷を第１排気ファンユニット３０ａと第２排気ファンユニット３０ｂに分けて負担させることができ、１台当たりの風量を減らして、排気ファンユニット３０で発生する騒音を低減することができる。なお、第１分岐ダクト７２ａが第１還気ダクトの例であり、第２分岐ダクト７２ｂが第２還気ダクトの例である。
【００５８】
（３−５）
複数の給気ファンユニット２０は、第１給気ファンユニット２０ａと第２給気ファンユニット２０ｂと第３給気ファンユニット３０ｃを含んでいる。第１給気ファンユニット２０ａが第１分岐ダクト６２ａに接続され、第２給気ファンユニット２０ｂが第２分岐ダクト６２ｂに接続され、第３給気ファンユニット２０ｃが第３分岐ダクト６２ｃに接続されている。そのため、給気の負荷を第１給気ファンユニット２０ａと第２給気ファンユニット２０ｂと第３給気ファンユニット２０ｃとに分けて負担させることができ、１台当たりの風量を減らして、給気ファンユニット２０で発生する騒音を低減することができる。なお、第１分岐ダクト６２ａが第１給気ダクトの例であり、第２分岐ダクト６２ｂが第２給気ダクトの例である。
【００５９】
（４）変形例
（４−１）変形例Ａ
上記実施形態では、一つの室内ＳＩ（一つのフロア）に対して、複数の給気ファンユニット２０と複数の排気ファンユニット３０が設けられている場合について説明した。しかし、複数の給気ファンユニット２０と複数の排気ファンユニット３０の配置は、図１に示されているような一つの室内ＳＩに対する配置には限られない。
【００６０】
例えば、図９に示されているように、フロアが廊下ＰＡＳと複数の部屋ＳＩ１〜ＳＩ４に分かれている場合、廊下ＰＡＳの天井裏に空気処理ユニット１０を配置し、各部屋ＳＩ１〜ＳＩ４の天井裏に対して各給気ファンユニット２０と各排気ファンユニット３０を配置してもよい。
【００６１】
また、一つの空気処理ユニット１０を、複数の階に配置されている複数の給気ファンユニット２０と複数の排気ファンユニット３０に接続してもよい。
【００６２】
（４−２）変形例Ｂ
上記実施形態では、給気ファンユニット２０が給気ダクト６０に接続され、排気ファンユニット３０が還気ダクト７０に接続されている場合を例に挙げて説明した。しかし、給気ファンユニット２０が接続されるダクトは、給気ダクト６０には限られない。例えば、図１０に示されているように、給気ファンユニット２０が外気ダクト５０に接続されてもよい。また、排気ファンユニット３０が接続されるダクトは、還気ダクト７０には限られない。例えば、図１０に示されているように、排気ファンユニット３０が排気ダクト８０に接続されてもよい。この場合、１または複数の給気ファンユニット２０が給気ダクト６０に接続され、排気ファンユニット３０が排気ダクト８０に接続されるように構成されてもよい。
【００６３】
（４−３）変形例Ｃ
上記実施形態では、空気処理ユニット１０が全熱交換エレメント１２を備える全熱交換器である場合について説明したが、空気処理ユニット１０は、全熱交換器に限られない。空気処理ユニット１０が加湿機及び／または除湿機を備えるものであってもよい。また、空気処理ユニット１０は、フィルタを備える換気装置であってもよい。また、空気処理ユニット１０は、ヒータ及び／または冷却装置を有していてもよい。ただし、いずれの場合であっても、空気処理ユニット１０は、送風機能を有さない構成である。
【００６４】
（４−４）変形例Ｄ
空気処理ユニット１０は、吸湿材付きの第１熱交換器と、吸湿材付きの第２熱交換器と、第１熱交換器と第２熱交換器との間で冷媒を循環させる圧縮機と、冷媒の循環方向を変更するための四方弁と、第１熱交換器と第２熱交換器の間に設けられた膨張弁とを備える調湿外気処理機であってもよい。この調湿外気処理機は、第１状態と第２状態とを切り替えることができる。調湿外気処理機は、第１状態では、第１熱交換器に室外空気を通して供給空気を生成するとともに第２熱交換器に室内空気を通して排出空気を生成する。調湿外気処理機は、第２状態では、第２熱交換器に室外空気を通して供給空気を生成するとともに第１熱交換器に室内空気を通して排出空気を生成する。例えば、第１熱交換器及び第２熱交換器には、吸湿材が直接塗布されている。吸湿材は、必要な熱を第１熱交換器及び第２熱交換器から直接得て、水分の吸着と放出を行う。圧縮機と第１熱交換器と第２熱交換器と膨張弁とはヒートポンプを構成する。圧縮機と第１熱交換器と第２熱交換器と膨張弁とを接続した回路において蒸気圧縮式冷凍サイクルが行われる。
【００６５】
除湿運転時に、調湿外気処理機では、第１状態で、圧縮機で圧縮されたガス状の冷媒が第２熱交換器で室内空気と熱交換される。第２熱交換器で液化された冷媒が膨張弁で減圧膨張されて第１熱交換器に送られる。第１熱交換器で冷媒は室外空気と熱交換される。第２熱交換器で熱交換された冷媒は圧縮機に戻る。このとき第１熱交換器を通過した室外空気から水分が第１熱交換器の吸着材に吸着され、乾いた空気が供給空気となる。
【００６６】
第１熱交換器の吸湿材が水分でいっぱいになると、調湿外気処理機は、第１状態から第２状態に切り換えられるとともに、四方弁により、圧縮機で圧縮されたガス状の冷媒が第１熱交換器に吐出され、第１熱交換器で熱交換を終えた液状の冷媒が第２熱交換器に入るように切り換えられる。
【００６７】
除湿運転時に、調湿外気処理機では、第２状態で、圧縮機で圧縮されたガス状の冷媒が第１熱交換器で室内空気と熱交換される。第１熱交換器で液化された冷媒が膨張弁で減圧膨張されて第２熱交換器に送られる。第２熱交換器で冷媒は室外空気と熱交換される。第１熱交換器で熱交換された冷媒は圧縮機に戻る。このとき第２熱交換器を通過した室外空気から水分が第２熱交換器の吸着材に吸着され、乾いた空気が供給空気となる。また、このとき第１熱交換器を通過した室内空気に吸着材から水分が放出され、湿った空気が排気空気となる。
【００６８】
第２熱交換器の吸湿材が水分でいっぱいになると、調湿外気処理機は、第２状態から第１状態に切り換えられるとともに、四方弁により、圧縮機で圧縮されたガス状の冷媒が第２熱交換器に吐出され、第２熱交換器で熱交換を終えた液状の冷媒が第１熱交換器に入るように切り換えられる。
【００６９】
加湿運転時に、調湿外気処理機では、第２状態で、圧縮機で圧縮されたガス状の冷媒が第２熱交換器で室内空気と熱交換される。第２熱交換器で液化された冷媒が膨張弁で減圧膨張されて第１熱交換器に送られる。第１熱交換器で冷媒は室外空気と熱交換される。第２熱交換器で熱交換された冷媒は圧縮機に戻る。このとき第１熱交換器を通過した室内空気から水分が第１熱交換器の吸着材に吸着され、乾いた空気が排気空気となる。
【００７０】
第１熱交換器の吸湿材が水分でいっぱいになると、調湿外気処理機は、第２状態から第１状態に切り換えられるとともに、四方弁により、圧縮機で圧縮されたガス状の冷媒が第１熱交換器に吐出され、第１熱交換器で熱交換を終えた液状の冷媒が第２熱交換器に入るように切り換えられる。
【００７１】
加湿運転時に、調湿外気処理機では、第１状態で、圧縮機で圧縮されたガス状の冷媒が第１熱交換器で室外空気と熱交換される。第１熱交換器で液化された冷媒が膨張弁で減圧膨張されて第２熱交換器に送られる。第２熱交換器で冷媒は室内空気と熱交換される。第１熱交換器で熱交換された冷媒は圧縮機に戻る。このとき第１熱交換器を通過した室外空気に第１熱交換器の吸着材から水分が放出され、湿った空気が供給空気となる。また、このとき第２熱交換器を通過した室内空気から吸着材に水分が吸着され、乾いた空気が排気空気となる。
【００７２】
第１熱交換器の吸湿材が水分を放出してしまうと、調湿外気処理機は、第１状態から第２状態に切り換えられるとともに、四方弁により、圧縮機で圧縮されたガス状の冷媒が第２熱交換器に吐出され、第２熱交換器で熱交換を終えた液状の冷媒が第１熱交換器に入るように切り換えられる。
【００７３】
（４−５）変形例Ｅ
上記実施形態の空気処理システム１では、全熱交換エレメント１２と吹出口２との間に、熱交換器を設けて、全熱交換エレメント１２による熱の回収と同時に供給空気の冷却を行ってもよい。熱交換器は、例えば通過する空気を冷却することができる直膨コイルである。この直膨コイルは空気処理ユニット１０の中に組み込まれてもよい。
【００７４】
上記実施形態の空気処理システム１では、全熱交換エレメント１２と吹出口２との間に、熱交換器と加湿器を設けて、全熱交換エレメント１２による熱の回収と同時に供給空気の加熱と加湿とを行ってもよい。熱交換器は、例えば通過する空気を加熱することができる直膨コイルである。この直膨コイルは空気処理ユニット１０の中に組み込まれてもよい。
【００７５】
上記実施形態の空気処理ユニット１０は、室温調整が必要ない時には、全熱交換エレメントを通過させることなく室内空気を排気空気として排気し、室外空気を全熱交換させることなく供給空気として室内に取り入れる状態に切り換えられる構成にしてもよい。
【００７６】
（４−６）変形例Ｆ
上記実施形態では、空気処理システム１が、複数の給気ファンユニット２０と複数の排気ファンユニット３０を備える場合について説明した。しかし、空気処理システム１は、１つの給気ファンユニット２０と１つの排気ファンユニット３０を備えるものであってもよい。１つの給気ファンユニット２０と１つの排気ファンユニット３０を備える空気処理システムでは、給気ファンユニット２０が外気ダクト５０または給気ダクト６０に設けられ、排気ファンユニット３０が還気ダクト７０または排気ダクト８０に設けられる。
【００７７】
また、上記実施形態では、空気処理システム１が、給気ダクト６０の３つの分岐ダクト６２にそれぞれ接続された３つの給気ファンユニット２０を備える場合について説明した。しかし、空気処理システム１は、２つ以上の分岐ダクト６２にそれぞれ接続された２つ以上の給気ファンユニット２０を備えるものであってもよい。還気ダクト７０及び排気ファンユニット３０も同様に、２つ以上の分岐ダクト７２にそれぞれ接続された２つ以上の排気ファンユニット３０を備えるものであってもよい。
【００７８】
（４−７）変形例Ｇ
上記実施形態では、空気処理システム１において、メインコントローラ４１とファンコントローラ２４，３４が分離されている場合について説明した。しかし、メインコントローラ４１とファンコントローラ２４，３４が分離されていなくてもよい。例えば、メインコントローラ４１とファンコントローラ２４，３４の機能をまとめて有する一つの集中コントローラを、空気処理システム１が備えるように構成してもよい。この場合、例えば、集中コントローラが、第１指示値及び第２指示値を算出し、第１指示値及び第２指示値に基づいて給気ファンユニット２０と排気ファンユニット３０とを制御するように構成してもよい。
【００７９】
（４−８）変形例Ｈ
上記実施形態では、空気処理ユニット１０が静止型全熱交換器である場合を例に挙げて説明したが、空気処理ユニット１０には回転型全熱交換器を用いてもよい。
【００８０】
（４−９）変形例I
上記実施形態では、室内ＳＩの空気を処理するためのシステムとして、空気処理システム１だけが示されている。しかし、空気処理システム１は、後述する空気調和システムＫ１と組み合わせて空調対象空間である室内ＳＩの空気の処理を行うように構成されてもよい。
【００８１】
（４−９−１）全体構成
図１１に示されている空気調和システムＫ１は、空調対象空間である室内ＳＩに調和空気を供給するシステムである。空気調和システムＫ１は、図１１に示されているように、熱交換器ユニットＫ１０と、複数のダクトＫ２０と、複数の空調用ファンユニットＫ３０と、空調用コントローラＫ３００（図５参照）とを備えている。空気調和システムＫ１は、熱交換器ユニットＫ１０での熱交換によって調和空気を生成し、生成した調和空気を複数の分配流路を介して室内ＳＩに供給する。複数のダクトＫ２０の各々は複数の分配流路のうちの一つに配置される。複数の空調用ファンユニットＫ３０の各々は複数の分配流路のうちの一つに配置される。なお、複数のダクトＫ２０を区別する場合には、ダクトＫ２０ａのようにアルファベットの添え字を付して表す。ここでは、ダクトＫ２０として、４つのダクトＫ２０ａ〜Ｋ２０ｄが示されている。また、空調用ファンユニットＫ３０として、４台の空調用ファンユニットＫ３０ａ〜Ｋ３０ｄが示されている。また、吹出口ユニットＫ７０、空調用リモートコントローラＫ６０として、それぞれ４つの吹出口ユニットＫ７０ａ〜Ｋ７０ｄ、空調用リモートコントローラＫ６０ａ〜Ｋ６０ｄが示されている。複数の吹出口ユニットＫ７０ａ〜Ｋ７０ｄの各々は複数の分配流路のうちの１つに配置される。
【００８２】
熱交換器ユニットＫ１０は、利用側熱交換器Ｋ１１を含んでいる。この熱交換器ユニットＫ１０は、利用側熱交換器Ｋ１１での熱交換によって調和空気を生成する機能を有している。複数のダクトＫ２０は、一端Ｋ２１が熱交換器ユニットＫ１０に接続されている。複数のダクトＫ２０は、熱交換器ユニットＫ１０が生成した調和空気を送る複数の管であって、調和空気を分配する機能を有する。言い換えると、複数のダクトＫ２０は、熱交換器ユニットＫ１０の利用側熱交換器Ｋ１１を通過した調和空気を分配するためのものである。
【００８３】
複数の空調用ファンユニットＫ３０は、複数のダクトＫ２０の他端Ｋ２２に接続されている。ここでは、例えば熱交換器ユニットＫ１０に接続されている１つのダクトＫ２０ａに、対応する１つの空調用ファンユニットＫ３０ａが接続されている。同様に、空調用ファンユニットＫ３０ｂ〜Ｋ３０ｄも、それぞれ、対応するダクトＫ２０ｂ〜Ｋ２０ｄに接続されている。ここでは、各ダクトＫ２０が１つの一端Ｋ２１と１つの他端Ｋ２２を持つ場合について説明するが、１つのダクトＫ２０が、１つの一端Ｋ２１と複数の他端Ｋ２２を持つように分岐していてもよく、そのように分岐した複数の他端Ｋ２２にそれぞれ空調用ファンユニットＫ３０が接続されていてもよい。また、空調用ファンユニットＫ３０ａ〜Ｋ３０ｄは、吹出口ユニットＫ７０ａ〜Ｋ７０ｄおよび空調用リモートコントローラＫ６０ａ〜Ｋ６０ｄに接続されている。
【００８４】
空気調和システムＫ１は、室内ＳＩに配置された複数の吹出口Ｋ７１を有している。各空調用ファンユニットＫ３０は、対応する各吹出口Ｋ７１に調和空気を供給する。各吹出口Ｋ７１に調和空気を供給するため、各空調用ファンユニットＫ３０は、熱交換器ユニットＫ１０から各ダクトＫ２０を介して、調和空気を吸引する。各空調用ファンユニットＫ３０は、調和空気を吸引するため、各空調用ファンユニットＫ３０の各ケーシングＫ３１の中に、送風ファンＫ３２を有している。各送風ファンＫ３２は、各ダクトＫ２０の他端Ｋ２２から各吹出口Ｋ７１に向って送風する。各空調用ファンユニットＫ３０が有する送風ファンＫ３２の台数は、１台でもよく、複数台であってもよい。ここでは、空調用ファンユニットＫ３０ａ〜Ｋ３０ｄのケーシングＫ３１の中に、それぞれ送風ファンＫ３２ａ〜Ｋ３２ｄが１台ずつ設けられている。
【００８５】
各空調用ファンユニットＫ３０は、アクチュエータによって、各吹出口Ｋ７１に供給する調和空気の個別の供給空気量を変更できるように構成されている。供給空気量は、単位時間あたりに室内ＳＩに供給される空気量である。ここでは、回転数を変更可能なファンモータＫ３３が、アクチュエータである。ここでは、４台のファンモータＫ３３ａ〜Ｋ３３ｄが個別に回転数を変更できるように構成されており、ファンモータＫ３３ａ〜Ｋ３３ｄがそれぞれ個別に回転数を変更することによって、空調用ファンユニットＫ３０ａ〜Ｋ３０ｄが個別に供給空気量を変更することができる。
【００８６】
空調用コントローラＫ３００が、複数のアクチュエータを制御することにより、複数の空調用ファンユニットＫ３０の供給空気量をそれぞれ制御する。さらに詳細には、空調用コントローラＫ３００の空調用メインコントローラＫ４０は、複数の空調用ファンユニットＫ３０の供給空気量に関する複数の指示により、複数のアクチュエータを制御する。そのために、変形例Ｉの空気調和システムＫ１は、空調用メインコントローラＫ４０から複数のアクチュエータに供給空気量の増減に関する指示を出す。「供給風量の増減に関する指示」には、供給風量のパラメータを直接に増減させる指示を出して供給風量を増減させる場合だけでない。例えば、空調用ファンユニットＫ３０の風速のパラメータを増減させる指示を出して当該風速のパラメータの増減に応じて風速が増減した結果として供給風量が増減される場合、風速のパラメータを増減させる指示が「供給風量の増減に関する指示」に含まれる。また、熱交換器ユニットＫ１０、ダクトＫ２０及び空調用ファンユニットＫ３０の中の所定箇所の差圧のパラメータを増減させる指示を出して当該差圧のパラメータの増減の結果として供給風量が増減される場合、差圧のパラメータを増減させる指示が「供給風量の増減に関する指示」に含まれる。前述のように、供給風量の増減を直接指示する場合だけでなく、間接的に供給風量の増減を指示する場合も「供給風量の増減に関する指示」に含まれる。空調用コントローラＫ３００の空調用メインコントローラＫ４０を含む空気調和システムＫ１の制御系統については後述する。
【００８７】
空気調和システムＫ１は、上記の構成に加えて、熱源ユニットＫ５０と、空調用リモートコントローラＫ６０と、吹出口ユニットＫ７０と、吸込口ユニットＫ８０と、種々のセンサとを備えている。空気調和システムＫ１が備えるセンサについては後述する。
【００８８】
（４−９−２）詳細構成
（４−９−２−１）熱交換器ユニットＫ１０
熱交換器ユニットＫ１０は、利用側熱交換器Ｋ１１と、利用側熱交換器Ｋ１１を収納する中空のハウジングＫ１２と、空調用メインコントローラＫ４０とを備えている。ハウジングＫ１２は、吸込口Ｋ８１に接続される１つの空気入口Ｋ１２ａと、複数のダクトＫ２０に接続される複数の空気出口Ｋ１２ｂとを有している。ここでは、空気入口Ｋ１２ａが１つの場合を示しているが、空気入口Ｋ１２ａは複数設けられてもよい。利用側熱交換器Ｋ１１は、例えば、フィンアンドチューブ式の熱交換器であり、伝熱フィンの間を通過する空気と、伝熱管の中を流れる冷媒の間で熱交換が行なわれる。空気入口Ｋ１２ａから吸い込まれる空気が利用側熱交換器Ｋ１１を通過するときに、利用側熱交換器Ｋ１１を通過する冷媒（熱媒体）と空気との間で熱交換が行なわれ、調和空気が生成される。利用側熱交換器Ｋ１１で生成された調和空気は、空気出口Ｋ１２ｂから各ダクトＫ２０ａ〜Ｋ２０ｂに吸い込まれる。
【００８９】
熱交換器ユニットＫ１０には、ファンが設けられていない。空気入口Ｋ１２ａから熱交換器ユニットＫ１０が空気を吸い込むことができるのは、複数のダクトＫ２０が全て複数の空気出口Ｋ１２ｂから空気を吸い込むことにより熱交換器ユニットＫ１０の中が負圧になるからである。
【００９０】
（４−９−２−２）ダクトＫ２０
調和空気を分配する機能を有する複数のダクトＫ２０は、熱交換器ユニットＫ１０の複数の空気出口Ｋ１２ｂと複数の空調用ファンユニットＫ３０とを接続している。ここでは、各空調用ファンユニットＫ３０と各吹出口ユニットＫ７０が直接接続されている場合について説明するが、空調用ファンユニットＫ３０と吹出口ユニットＫ７０との間にもダクトＫ２０が配置され、空調用ファンユニットＫ３０と吹出口ユニットＫ７０がダクトＫ２０で接続されてもよい。
【００９１】
ダクトＫ２０には、金属製の形状が固定された管が用いられてもよく、自在に曲げられる素材からなる管が用いられてもよい。このようなダクトＫ２０をつなぎ合せることで、熱交換器ユニットＫ１０、複数の空調用ファンユニットＫ３０及び複数の吹出口ユニットＫ７０の様々な配置が可能になる。
【００９２】
図１２には、天井裏室ＡＴで接続されている熱交換器ユニットＫ１０と、４つの空調用ファンユニットＫ３０と、４つの吹出口ユニットＫ７０が概念的に示されている。このように構成されている熱交換器ユニットＫ１０と空調用ファンユニットＫ３０と吹出口ユニットＫ７０は、薄く形成することが容易であるので、室内ＳＩの床下の空間に配置してもよい。
【００９３】
（４−９−２−３）空調用ファンユニットＫ３０
各空調用ファンユニットＫ３０が備える送風ファンＫ３２には、例えば遠心ファンを用いることができる。送風ファンＫ３２として用いられる遠心ファンには、例えばシロッコファンがある。各空調用ファンユニットＫ３０が備えるケーシングＫ３１には、吸気口Ｋ３６と排出口Ｋ３７を有している。各ケーシングＫ３１の吸気口Ｋ３６には、各ダクトＫ２０の他端Ｋ２２が接続されている。各ケーシングＫ３１の排出口Ｋ３７には、各送風ファンＫ３２の吹出口が接続されるとともに、対応する吹出口ユニットＫ７０が接続される。送風ファンＫ３２から吹出された調和空気は、吹出口ユニットＫ７０の中を通って、吹出口Ｋ７１から吹出される。
【００９４】
ケーシングＫ３１には、空調用ファンコントローラＫ３４が取り付けられている。ここでは、全ての空調用ファンコントローラＫ３４が、空調用メインコントローラＫ４０に接続されている。
【００９５】
図１３には、送風ファンＫ３２の一例として、シロッコファンが示されている。この送風ファンＫ３２のファンロータＫ３５を回転させるファンモータＫ３３は、回転数を変更することができる。従って、送風ファンＫ３２は、ファンモータＫ３３の回転数を変えることによって供給空気量を変更することができる。空調用ファンコントローラＫ３４は、ファンモータＫ３３に接続されており、ファンモータＫ３３の回転数を制御することができる。
【００９６】
各空調用ファンユニットＫ３０は、後述する風量検知部として機能する差圧センサＫ１２１を備えており、ダクト長さによって各空調用ファンユニットＫ３０までのダクトＫ２０で生じる空気抵抗が異なっても、必要な供給空気量を出すために必要なファンモータＫ３３の回転数を各空調用ファンコントローラＫ３４が自動的に補正できるように構成されている。ただし、このような補正機能を空調用ファンユニットＫ３０に搭載しなくてもよい場合もある。
【００９７】
（４−９−２−４）熱源ユニットＫ５０
熱源ユニットＫ５０は、熱交換器ユニットＫ１０の利用側熱交換器Ｋ１１の熱交換に要する熱エネルギーを供給する。図１１に示されている空気調和システムＫ１では、熱源ユニットＫ５０と熱交換器ユニットＫ１０との間で冷媒が循環し、蒸気圧縮式の冷凍サイクルが行なわれる。熱源ユニットＫ５０と熱交換器ユニットＫ１０は、蒸気圧縮式の冷凍サイクルを行う冷凍サイクル装置を構成している。図１１に示された例では、熱源ユニットＫ５０が建物ＢＬの外に置かれ、外気を熱源としているが、熱源ユニットＫ５０の配置箇所は建物ＢＬの外には限られない。
【００９８】
熱源ユニットＫ５０は、圧縮機Ｋ５１と、熱源側熱交換器Ｋ５２と、膨張弁Ｋ５３と、四方弁Ｋ５４と、熱源側ファンＫ５５と、熱源コントローラＫ５６と、ユニット内冷媒配管Ｋ５７，Ｋ５８とを備えている。圧縮機Ｋ５１の吐出口が四方弁Ｋ５４の第１ポートに接続され、圧縮機Ｋ５１の吸入口が四方弁Ｋ５４の第３ポートに接続されている。圧縮機Ｋ５１は、吸入口から吸入したガス状態の冷媒（以下、ガス冷媒ともいう）または気液二相状態の冷媒を圧縮して吐出口から吐出する。圧縮機Ｋ５１は、例えばインバータ制御により回転数（または運転周波数）を変更することのできる圧縮機モータを内蔵している。圧縮機Ｋ５１は、運転周波数を変更することにより吐出する冷媒の単位時間当たりの吐出量を変更することができる。
【００９９】
四方弁Ｋ５４は、第２ポートに熱源側熱交換器Ｋ５２の一方の出入口を接続し、第４ポートにユニット内冷媒配管Ｋ５８を接続している。四方弁Ｋ５４は、冷房運転時には、実線で示されているように、第１ポートから第２ポートに冷媒が流れて圧縮機Ｋ５１から吐出された冷媒が熱源側熱交換器Ｋ５２に送られ、利用側熱交換器Ｋ１１からユニット内冷媒配管Ｋ１３２と冷媒連絡配管Ｋ９２とユニット内冷媒配管Ｋ５８とを介して第４ポートから第３ポートに冷媒が流れて圧縮機Ｋ５１の吸入口に冷媒が送られる。四方弁Ｋ５４は、暖房運転時には、破線で示されているように、第１ポートから第４ポートに冷媒が流れて圧縮機Ｋ５１から吐出された冷媒がユニット内冷媒配管Ｋ５８と冷媒連絡配管Ｋ９２とユニット内冷媒配管Ｋ１３２とを介して利用側熱交換器Ｋ１１に送られ、第２ポートから第３ポートに冷媒が流れて熱源側熱交換器Ｋ５２から圧縮機Ｋ５１の吸入口に冷媒が送られる。熱源側熱交換器Ｋ５２は、例えば、フィンアンドチューブ式の熱交換器であり、伝熱フィンの間を通過する空気と、伝熱管の中を流れる冷媒の間で熱交換が行なわれる。
【０１００】
熱源側熱交換器Ｋ５２の他方の出入口は膨張弁Ｋ５３の一方端に接続され、膨張弁Ｋ５３の他方端はユニット内冷媒配管Ｋ５７と冷媒連絡配管Ｋ９１とユニット内冷媒配管Ｋ１３１とを介して利用側熱交換器Ｋ１１の一方の出入口に接続されている。利用側熱交換器Ｋ１１の他方の出入口は、ユニット内冷媒配管Ｋ１３２に接続されている。
【０１０１】
このような熱源ユニットＫ５０と熱交換器ユニットＫ１０が接続されることで冷媒回路Ｋ２００が構成されている。冷媒回路Ｋ２００では、冷房運転時に、圧縮機Ｋ５１、四方弁Ｋ５４、熱源側熱交換器Ｋ５２、膨張弁Ｋ５３、利用側熱交換器Ｋ１１、四方弁Ｋ５４、圧縮機Ｋ５１の順に冷媒が流れる。また、暖房運転時に、冷媒回路Ｋ２００では、圧縮機Ｋ５１、四方弁Ｋ５４、利用側熱交換器Ｋ１１、膨張弁Ｋ５３、熱源側熱交換器Ｋ５２、四方弁Ｋ５４、圧縮機Ｋ５１の順に冷媒が流れる。
【０１０２】
（４−９−２−４−１）冷房運転時の冷媒の循環
冷房運転時には、圧縮機Ｋ５１で圧縮されたガス冷媒が、四方弁Ｋ５４を通って熱源側熱交換器Ｋ５２に送られる。この冷媒は、熱源側ファンＫ５５によって流れる空気に熱源側熱交換器Ｋ５２で放熱し、膨張弁Ｋ５３で膨張して減圧され、ユニット内冷媒配管Ｋ５７と冷媒連絡配管Ｋ９１とユニット内冷媒配管Ｋ１３１とを通って利用側熱交換器Ｋ１１に送られる。膨張弁Ｋ５３から送られてきた低温低圧の冷媒は、利用側熱交換器Ｋ１１で熱交換を行って吸込口Ｋ８１から送られてきた空気から熱を奪う。利用側熱交換器Ｋ１１で熱交換を終えたガス冷媒または気液二相の冷媒は、ユニット内冷媒配管Ｋ１３２と冷媒連絡配管Ｋ９２とユニット内冷媒配管Ｋ５８及び四方弁Ｋ５４を通って圧縮機Ｋ５１に吸入される。利用側熱交換器Ｋ１１で熱を奪われた調和空気が、複数のダクトＫ２０、複数の空調用ファンユニットＫ３０及び複数の吹出口Ｋ７１を通って室内ＳＩに吹出されることにより、室内ＳＩの冷房が行われる。
【０１０３】
冷房運転では、圧縮機Ｋ５１で液圧縮が起きないように、例えば、圧縮機Ｋ５１の吸入口に吸入される冷媒の過熱度を過熱度目標値に一致させるような膨張弁Ｋ５３の開度調節の制御が行なわれる。また、このような膨張弁Ｋ５３の開度調節が行なわれつつ、冷房負荷を処理できるように、圧縮機Ｋ５１の運転周波数を変更する制御が行われる。過熱度は、例えば、利用側熱交換器Ｋ１１から送り出されるガス冷媒の温度から利用側熱交換器の中の冷媒の蒸発温度を差し引いて算出される。
【０１０４】
（４−９−２−４−２）暖房運転時の冷媒の循環
暖房運転時には、圧縮機Ｋ５１で圧縮されたガス冷媒が、四方弁Ｋ５４及びユニット内冷媒配管Ｋ５８と冷媒連絡配管Ｋ９２とユニット内冷媒配管Ｋ１３２を通って利用側熱交換器Ｋ１１に送られる。この冷媒は、利用側熱交換器Ｋ１１で熱交換を行って吸込口Ｋ８１から送られてきた空気に熱を与える。利用側熱交換器Ｋ１１で熱交換を行った冷媒は、ユニット内冷媒配管Ｋ１３１と冷媒連絡配管Ｋ９１とユニット内冷媒配管Ｋ５７を通って膨張弁Ｋ５３に送られる。膨張弁Ｋ５３で膨張して減圧された低温低圧の冷媒は、熱源側熱交換器Ｋ５２に送られ、熱源側熱交換器Ｋ５２で熱交換を行い、熱源側ファンＫ５５によって流れる空気から熱を得る。熱源側熱交換器Ｋ５２で熱交換を終えたガス冷媒または気液二相の冷媒は、四方弁Ｋ５４を通って圧縮機Ｋ５１に吸入される。利用側熱交換器Ｋ１１で熱を与えられた調和空気が、複数のダクトＫ２０、複数の空調用ファンユニットＫ３０及び複数の吹出口Ｋ７１を通って室内ＳＩに吹出されることにより、室内ＳＩの暖房が行われる。
【０１０５】
暖房運転では、例えば、利用側熱交換器Ｋ１１の出口（ユニット内冷媒配管Ｋ１３１）における冷媒の過冷却度を過熱度目標値に一致させるように膨張弁Ｋ５３の開度を調節する制御が行われる。また、このような膨張弁Ｋ５３の開度調節が行なわれつつ、暖房負荷を処理できるように、圧縮機Ｋ５１の運転周波数を変更する制御が行われる。利用側熱交換器Ｋ１１の過冷却度は、例えば、利用側熱交換器Ｋ１１の中の冷媒の凝縮温度から利用側熱交換器Ｋ１１から出る液冷媒の温度を差し引くことにより算出される。
【０１０６】
吹出口ユニットＫ７０は、例えば、吹出口Ｋ７１を下方に向けて天井ＣＥに取り付けられる。ここでは、吹出口ユニットＫ７０が天井ＣＥに取り付けられる場合を例に示しているが、例えば吹出口ユニットＫ７０が壁に取り付けられてもよく、吹出口ユニットＫ７０の取り付け箇所は天井ＣＥには限られない。
【０１０７】
（４−９−５）吹出口ユニットＫ７０
吹出口ユニットＫ７０は、中空のケーシングＫ７２の中に、エアフィルタＫ７３を備えている。吹出口ユニットＫ７０ａ〜Ｋ７０ｄは、それぞれ空調用ファンユニットＫ３０ａ〜Ｋ３０ｄに接続している。空調用ファンユニットＫ３０から送られてきた調和空気は、エアフィルタＫ７３を通って吹出口Ｋ７１から吹出される。ここでは、吹出口ユニットＫ７０がエアフィルタＫ７３を備えている場合について説明しているが、吹出口ユニットＫ７０はエアフィルタＫ７３を備えない構成であってもよい。
【０１０８】
また、吹出口ユニットＫ７０は、中空のケーシングＫ７２の中に、風向板Ｋ７４を備えている。吹出口ユニットＫ７０は、風向板Ｋ７４を駆動するための風向板用モータＫ７５を備えている。ここでは、風向板Ｋ７４を駆動するための風向板用モータＫ７５が、アクチュエータである。風向板Ｋ７４は、風向板用モータＫ７５によって移動することができ、風向を調節することができる。さらに、風向板Ｋ７４は、吹出口Ｋ７１を締め切れる位置に移動することもできる。風向板用モータＫ７５は、例えば空調用ファンユニットＫ３０の空調用ファンコントローラＫ３４に接続される。従って、空調用ファンコントローラＫ３４は、風向及び吹出口Ｋ７１の開閉を制御することができる。ここでは、吹出口ユニットＫ７０が風向板Ｋ７４及び風向板用モータＫ７５を備えている場合について説明しているが、吹出口ユニットＫ７０は風向板Ｋ７４及び風向板用モータＫ７５を備えない構成であってもよい。
【０１０９】
吸込口ユニットＫ８０は、例えば、吸込口Ｋ８１を室内ＳＩに向け天井ＣＥに取り付けられる。ここでは、吸込口ユニットＫ８０が天井ＣＥに取り付けられる場合を例に示しているが、例えば吸込口ユニットＫ８０が建物ＢＬの壁に取り付けられてもよく、吸込口ユニットＫ８０の取り付け箇所は建物ＢＬの天井ＣＥには限られない。
【０１１０】
吸込口ユニットＫ８０は、中空のケーシングＫ８２の中に、エアフィルタＫ８３を備えている。熱交換器ユニットＫ１０に送られる空気は、エアフィルタＫ８３を通って吸込口Ｋ８１から取り入れられる。ここでは、吸込口ユニットＫ８０がエアフィルタＫ８３を備えている場合について説明しているが、吸込口ユニットＫ８０がエアフィルタＫ８３を備えない構成であってもよい。
【０１１１】
（４−９−６）制御系統    
図１４に示されているように、空調用メインコントローラＫ４０は、複数の空調用ファンコントローラＫ３４及び熱源コントローラＫ５６に接続されている。熱源コントローラＫ５６は、例えば熱源ユニットＫ５０の中の各種の機器に接続されたプリント配線基板上に設けられている各種の回路により構成されており、圧縮機Ｋ５１、膨張弁Ｋ５３、四方弁Ｋ５４及び熱源側ファンＫ５５などの熱源ユニットＫ５０の中の各種の機器を制御する。また、空調用メインコントローラＫ４０は、各空調用ファンコントローラＫ３４を介して各空調用リモートコントローラＫ６０に接続されている。空調用リモートコントローラＫ６０ａ〜Ｋ６０ｄは、吹出口ユニットＫ７０ａ〜Ｋ７０ｄに対応しており、空調用ファンユニットＫ３０ａ〜Ｋ３０ｄに接続されている。ここでは、空調用リモートコントローラＫ６０が空調用ファンコントローラＫ３４を介して空調用メインコントローラＫ４０に接続される場合について説明しているが、空調用リモートコントローラＫ６０を直接空調用メインコントローラＫ４０に接続してもよい。ここでは、空調用メインコントローラＫ４０と複数の空調用ファンコントローラＫ３４と熱源コントローラＫ５６と複数の空調用リモートコントローラＫ６０が、有線で接続されている場合を示しているが、これらの全てまたは一部が無線通信によって接続されてもよい。
【０１１２】
空調用メインコントローラＫ４０と複数の空調用ファンコントローラＫ３４と熱源コントローラＫ５６と複数の空調用リモートコントローラＫ６０は、例えばコンピュータにより実現されるものである。空調用メインコントローラＫ４０と複数の空調用ファンコントローラＫ３４と熱源コントローラＫ５６と複数の空調用リモートコントローラＫ６０を構成するコンピュータは、制御演算装置と記憶装置とを備える。制御演算装置には、ＣＰＵ又はＧＰＵといったプロセッサを使用できる。制御演算装置は、記憶装置に記憶されているプログラムを読み出し、このプログラムに従って所定の画像処理や演算処理を行う。さらに、制御演算装置は、プログラムに従って、演算結果を記憶装置に書き込んだり、記憶装置に記憶されている情報を読み出したりすることができる。しかし、空調用メインコントローラＫ４０と複数の空調用ファンコントローラＫ３４と熱源コントローラＫ５６と複数の空調用リモートコントローラＫ６０は、ＣＰＵとメモリを用いて行うのと同様の制御を行うことができる集積回路（ＩＣ）を用いて構成されてもよい。ここでいうＩＣには、ＬＳＩ（large-scale integrated circuit）、ＡＳＩＣ（application-specific integrated circuit）、ゲートアレイ、ＦＰＧＡ（field programmable gate array）等が含まれる。
【０１１３】
熱交換器ユニットＫ１０には、吸込温度センサＫ１０１、ガス側温度センサＫ１０２、液側温度センサＫ１０３及び利用側熱交換器温度センサＫ１０４が配置されている。なお、これらの温度センサあるいは後述する温度センサには例えばサーミスタを用いることができる。吸込温度センサＫ１０１、ガス側温度センサＫ１０２、液側温度センサＫ１０３及び利用側熱交換器温度センサＫ１０４は、空調用メインコントローラＫ４０に接続され、これらの検出結果が空調用メインコントローラＫ４０に送信される。吸込温度センサＫ１０１は、空気入口Ｋ１２ａから吸い込まれる空気の温度を検出する。ガス側温度センサＫ１０２は、ユニット内冷媒配管Ｋ１３２に接続された利用側熱交換器Ｋ１１の一方の出入口の冷媒の温度を検出する。液側温度センサＫ１０３は、ユニット内冷媒配管Ｋ１３１に接続された利用側熱交換器Ｋ１１の他方の出入口の冷媒の温度を検出する。利用側熱交換器温度センサＫ１０４は、利用側熱交換器Ｋ１１内の冷媒流路の中途付近に取り付けられ、利用側熱交換器Ｋ１１の中を流れる気液二相状態の熱交換器温度を検出する。空調用メインコントローラＫ４０は、吸込温度センサＫ１０１、ガス側温度センサＫ１０２、液側温度センサＫ１０３及び利用側熱交換器温度センサＫ１０４のうちの少なくとも一つの検出値を供給空気量の増減に関する指示の決定に使用する。なお、利用側熱交換器Ｋ１１を通過した直後の空気温度を検出する空気出口温度センサ１０５を有してもよい。
【０１１４】
熱源ユニットＫ５０には、熱源側空気温度センサＫ１１１、吐出管温度センサＫ１１２及び熱源側熱交換器温度センサＫ１１３が配置されている。熱源側空気温度センサＫ１１１、吐出管温度センサＫ１１２及び熱源側熱交換器温度センサＫ１１３は、熱源コントローラＫ５６に接続されている。熱源側空気温度センサＫ１１１、吐出管温度センサＫ１１２及び熱源側熱交換器温度センサＫ１１３の検出結果は、熱源コントローラＫ５６を介して空調用メインコントローラＫ４０に送信される。熱源側空気温度センサＫ１１１は、熱源側ファンＫ５５によって生じる熱源側熱交換器Ｋ５２を通過する前の気流の温度を検出する。吐出管温度センサＫ１１２は、圧縮機Ｋ５１から吐出される冷媒の温度を検出する。熱源側熱交換器温度センサＫ１１３は、熱源側熱交換器Ｋ５２内の冷媒流路の中途付近に取り付けられ、熱源側熱交換器Ｋ５２の中を流れる気液二相状態の熱交換器温度を検出する。
【０１１５】
空調用ファンユニットＫ３０には、差圧センサＫ１２１及び吹出温度センサＫ１２２が配置されている。差圧センサＫ１２１では、例えば、空調用ファンユニットＫ３０の設置箇所の風上側と風下側の気流の差圧を検出する。差圧センサＫ１２１は、空調用ファンコントローラＫ３４に接続されており、空調用ファンコントローラＫ３４に検出した差圧のデータを送信する。例えば、差圧センサＫ１２１が取り付けられる箇所の流路の断面積が予め決められており、空調用ファンコントローラＫ３４は、差圧センサＫ１２１の検出値から供給空気量を算出することができる。また、差圧センサＫ１２１の圧力差から風向を検出することができる。吹出温度センサＫ１２２は、例えば各空調用ファンユニットＫ３０のケーシングＫ３１の中に設置され、各空調用ファンユニットＫ３０から吹出される調和空気の温度を検出する。ここでは、吹出温度センサＫ１２２が、空調用ファンユニットＫ３０のケーシングＫ３１の中に設置される場合について説明するが、吹出温度センサＫ１２２の設置場所は、他の場所であってもよく、例えば吹出口ユニットＫ７０の中を設置場所としてもよい。
【０１１６】
複数の空調用リモートコントローラＫ６０は、それぞれ、室内温度センサＫ６１を内蔵しており、空気調和システムＫ１及び／または空調用ファンユニットＫ３０の運転のオン・オフの指示、冷暖房の切替、設定温度及び設定風量を入力できるように構成されている。設定温度は例えば、数値で入力できるように構成され、設定風量は微風、弱風、中風、強風の中から選択することで入力できるように構成されている。例えば、ユーザは、空調用リモートコントローラＫ６０の入力ボタンを使って、冷房運転を選択し、設定温度を２８℃に設定し、設定風量として中風を選択する。
【０１１７】
空調用メインコントローラＫ４０は、各吹出温度センサＫ１２２で検出される吹出温度と設定温度から各空調用ファンユニットＫ３０から吹出させる必要な供給空気量を算出し、ファンモータＫ３３の回転数を制御して、室内温度センサＫ６１の検出値を設定温度に近づける制御を行う。なお、ここでは、室内温度センサＫ６１が空調用リモートコントローラＫ６０に内蔵されている場合について説明しているが、室内温度センサＫ６１を設ける位置は空調用リモートコントローラＫ６０には限られない。例えば、室内温度センサが一つの独立した機器として存在し、独立した室内温度センサから空調用メインコントローラＫ４０が室内温度の値を受信できるように構成することもできる。
【０１１８】
例えば、初期には、３台の空調用ファンユニットＫ３０が熱交換器ユニットＫ１０に接続され、熱交換器ユニットＫ１０の空気出口Ｋ１２ｂの１つが塞がれている場合を想定する。このような場合に、さらに１台の空調用ファンユニットＫ３０を追加するときには、塞がれていた空気出口Ｋ１２ｂにダクトＫ２０を接続し、そのダクトＫ２０に追加する空調用ファンユニットＫ３０を接続し、追加された空調用ファンユニットＫ３０に吹出口ユニットＫ７０を接続する。このようにして追加された空調用ファンユニットＫ３０の空調用ファンコントローラＫ３４を空調用メインコントローラＫ４０に接続すれば、空調用メインコントローラＫ４０と４つの空調用ファンコントローラＫ３４のネットワークが完成し、空調用メインコントローラＫ４０の指示を伝えるネットワークを簡単に構築することができる。
【０１１９】
（４−９−３）空気調和システムＫ１の動作
空気調和システムＫ１では、複数の空調用リモートコントローラＫ６０から入力される設定風量が、複数の空調用ファンユニットＫ３０の供給空気量を決める基本的な供給空気量になる。しかしながら、設定風量を変えないとすると、設定温度に達した後に冷房運転では設定温度を下回り、暖房運転では設定温度を上回ってしまう。そこで、空調用メインコントローラＫ４０からの指令によって、室内空気温度を設定温度に収束させるために、各空調用ファンユニットＫ３０の供給空気量を設定風量から変更する。空調用メインコントローラＫ４０は、室内空気温度と設定温度の温度差から空調負荷を算出し、各空調用ファンユニットＫ３０の空調負荷と送風温度から必要な供給空気量を決める。例えば、室内空気温度が設定温度に一致して温度差がない場合には空調負荷が０になるので、空調用メインコントローラＫ４０は、室内空気温度が設定温度に一致している空調用ファンユニットＫ３０については、設定風量が０でなくても送風を停止させる。ただし、吹出口Ｋ７１から熱交換器ユニットＫ１０に向けて空気を逆流させないために、空調負荷で判断すれば停止させる空調用ファンユニットＫ３０であっても逆流を抑制するために供給空気量を０にしないように制御されてもよい。
【０１２０】
（４−９−３−１）起動時
空調用ファンユニットＫ３０ａ〜Ｋ３０ｄの空調用ファンコントローラＫ３４は、それぞれ、４つの空調用リモートコントローラＫ６０の設定風量から各空調用ファンユニットＫ３０ａ〜Ｋ３０ｄが供給する供給空気量を、空調用メインコントローラＫ４０に送信する。なお、停止している空調用ファンユニットＫ３０も、吹出口Ｋ７１から熱交換器ユニットＫ１０に向けて空気を逆流させないために極めて僅かに送風する運転しているときには、その微少供給空気量を総風量に含めるように空気調和システムＫ１を構成してもよい。あるいは、その微少供給空気量を総風量に含めないように空気調和システムＫ１を構成してもよい。
【０１２１】
空調用メインコントローラＫ４０は、全ての空調用ファンユニットＫ３０から送信されてきた供給空気量を合計して、利用側熱交換器Ｋ１１を通過する総風量を算出する。空調用メインコントローラＫ４０は、熱交換器ユニットＫ１０の吸込温度センサＫ１０１から、熱交換器ユニットＫ１０に吸い込まれた空気温度を算出する。そして、空調用メインコントローラＫ４０は、利用側熱交換器Ｋ１１を通過する空気の総風量と空気温度から算出した必要な冷媒循環量を熱源ユニットＫ５０の熱源コントローラＫ５６に要求する。熱源ユニットＫ５０の熱源コントローラＫ５６は、空調用メインコントローラＫ４０からの要求に応じて、圧縮機Ｋ５１の運転周波数を変更して冷媒循環量を変更する。
【０１２２】
（４−９−３−２）通常運転時
空気調和システムＫ１は、通常運転において、総風量が下限値以上の場合と、下限値より小さい場合で制御を変えている。
【０１２３】
（４−９−３−２−１）総風量が下限値以上のとき
起動時から所定時間が経過して通常運転状態になったときに、空調用メインコントローラＫ４０は、総風量が下限値以上になっているか否かを判断する。下限値の設定については後述する。総風量が下限値以上になっていれば、空調用メインコントローラＫ４０は、次の手順で空気調和システムＫ１の制御を行う。
【０１２４】
起動時から所定時間が経過して通常運転状態になったときには、所定のインターバルで各空調用ファンコントローラＫ３４が個々の供給空気量を再計算するように構成されている。この再計算においては、例えば空調用リモートコントローラＫ６０が検知した室内空気温度を使って、各吹出口ユニットＫ７０の近傍の室内空気温度が、設定温度に対して「近づいている」「離れている」等の状況に基づいて空調負荷を算出し、各空調用ファンコントローラＫ３４が設定風量を補正する。そして、各空調用ファンユニットＫ３０が補正した補正供給空気量を空調用メインコントローラＫ４０に送信する。なお、設定風量の補正に関する計算は、空調用メインコントローラＫ４０で行うように構成してもよい。空調用メインコントローラＫ４０は、インターバルごとに複数の空調用ファンコントローラＫ３４から送られてくる供給空気量を再計算して総風量を算出し、総風量が下限値以上であれば、インターバルごとの利用側熱交換器Ｋ１１を通過する空気の総風量と空気温度から算出した必要な冷媒循環量を熱源ユニットＫ５０の熱源コントローラＫ５６に要求する。熱源ユニットＫ５０の熱源コントローラＫ５６は、空調用メインコントローラＫ４０からの要求に応じて、圧縮機Ｋ５１の運転周波数を変更して冷媒循環量を変更する。
【０１２５】
（４−９−３−２−２）総風量が下限値より小さいとき
空調用メインコントローラＫ４０は、総風量が下限値より小さいときには、算出した総風量と下限値との差である不足分を計算する。空調用メインコントローラＫ４０は、予め決められている風量分配規則に従って不足分を複数の空調用ファンユニットＫ３０に割り振る。複数の空調用ファンユニットＫ３０に不足分を割り振る際には、総風量が下限値以上であればよいので、不足分に一致する供給空気量を割り振る場合と、不足分以上の供給空気量を割り振る場合とがある。
【０１２６】
例えば、下限値が３０ｍ３／分であり、空調用ファンユニットＫ３０ａの空調用ファンコントローラＫ３４が１６ｍ３／分、空調用ファンユニットＫ３０ｂの空調用ファンコントローラＫ３４が０ｍ３／分、空調用ファンユニットＫ３０ｃの空調用ファンコントローラＫ３４が１０ｍ３／分、空調用ファンユニットＫ３０ｄの空調用ファンコントローラＫ３４が６ｍ３／分を空調用メインコントローラＫ４０に要求している場合を考える。このとき、空調用メインコントローラＫ４０が算出した総風量が３２ｍ３／分＞３０ｍ３／分となり、空調用メインコントローラＫ４０は、総風量が下限値よりも大きいと判断する。
【０１２７】
次に、空調用ファンユニットＫ３０ｃの空調用ファンコントローラＫ３４に空調用リモートコントローラＫ６０から送風停止の指示が入ると、空調用ファンユニットＫ３０ｃの空調用ファンコントローラＫ３４の要求が１０ｍ３／分から０ｍ３／分に変更される。そうすると、総風量が３２ｍ３／分から２２ｍ３／分に低下するため、空調用メインコントローラＫ４０は、総風量が下限値以下となる変更が指示された判断する。
【０１２８】
一つの例としては、下限値以下となる変更が指示された判断をしたとき、空調用メインコントローラＫ４０は、不足分を、例えば、運転している空調用ファンユニットＫ３０に均等に割り振る。上述の場合、８（＝３０−２２）ｍ３／分を空調用ファンユニットＫ３０ａに４ｍ３／分と空調用ファンユニットＫ３０ｂに４ｍ３／分とに割り振り、空調用ファンユニットＫ３０ａが２０ｍ３／分、空調用ファンユニットＫ３０ｄが１０ｍ３／分に変更される。
【０１２９】
他の例としては、下限値以下となる変更が指示された判断をしたとき、空調用メインコントローラＫ４０は、不足分を、例えば、全ての空調用ファンユニットＫ３０に均等に割り振る。上述の場合、８（＝３０−２２）ｍ３／分を空調用ファンユニットＫ３０ａ〜Ｋ３０ｄに２ｍ３／分ずつ割り振り、空調用ファンユニットＫ３０ａが１８ｍ３／分、空調用ファンユニットＫ３０ｂが２ｍ３／分、空調用ファンユニットＫ３０ｂが２ｍ３／分、空調用ファンユニットＫ３０ｄが８ｍ３／分に変更される。
【０１３０】
（４−９−３−２−３）下限値の設定
空気調和システムＫ１の総風量の下限値は、空調用メインコントローラＫ４０が、例えば熱交換器温度に基づいて判断する。例えば、冷房運転において、熱交換器温度が高い場合には、熱源ユニットＫ５０の熱エネルギーの供給能力が足りていないと判断して、総風量の下限値を高く設定する。そのような場合と比較して、冷房運転において、熱交換器温度が低い場合には、熱源ユニットＫ５０の熱エネルギーの供給能力に余裕があると判断して、総風量の下限値を前述の場合に比べて低く設定する。下限値の具体的な値については、例えば、空気調和システムＫ１の実機の試験および／またはシミュレーションによって決定する。
【０１３１】
（４−９−３−２−４）空気逆流の検出
例えば、ダクトＫ２０ａと空調用ファンユニットＫ３０ａと吹出口ユニットＫ７０ａからなる分配流路において、熱交換器ユニットＫ１０から吹出口Ｋ７１に向う気流が正常な気流であり、逆に、吹出口Ｋ７１から熱交換器ユニットＫ１０に向う気流が、異常な気流であって、空気逆流である。ダクトＫ２０ｂ〜Ｋ２０ｄと空調用ファンユニットＫ３０ｂ〜Ｋ３０ｄと吹出口ユニットＫ７０ｂ〜Ｋ７０ｄからなる分配流路においても同様に、吹出口Ｋ７１から熱交換器ユニットＫ１０に向う気流が空気逆流である。空調用ファンユニットＫ３０ａ〜Ｋ３０ｄのそれぞれに１つずつ設けられている差圧センサＫ１２１は、その検出結果を、空調用ファンコントローラＫ３４を介して空調用メインコントローラＫ４０に送信する。
【０１３２】
空調用メインコントローラＫ４０は、空調用ファンユニットＫ３０ａ〜Ｋ３０ｄの吸気口Ｋ３６の空気圧に比べて排出口Ｋ３７の空気圧が低いかまたは同じときには正常な気流であると判断し、逆に、空調用ファンユニットＫ３０ａ〜Ｋ３０ｄの吸気口Ｋ３６の空気圧に比べて排出口Ｋ３７の空気圧が高いときには空気逆流が発生していると判断する。
【０１３３】
（４−９−３−２−５）空気逆流が発生したときの動作
空調用メインコントローラＫ４０は、空調用ファンユニットＫ３０の連動により空気逆流を解消する。具体的には、空調用メインコントローラＫ４０は、空気逆流が発生している分配流路に繋がっている空調用ファンユニットＫ３０を検知する。空気逆流の発生している分配流路の空調用ファンユニットＫ３０の空調用ファンコントローラＫ３４に対して、空調用メインコントローラＫ４０からファンモータＫ３３の回転数を増加させる指令を送信する。例えば、ファンモータＫ３３が停止していた場合には、予め決まっている回転数で駆動を始める指令が送信される。また、例えば、ファンモータＫ３３が低速で回転している場合には、さらにファンモータＫ３３の回転数を上げる指令が送信される。
【０１３４】
なお、風向板Ｋ７４で空気抵抗を変更できるときには、空気逆流を解消するために風向板Ｋ７４を使ってもよい。例えば、ファンモータＫ３３が停止していた場合には、空気逆流が発生している吹出口ユニットＫ７０の風向板Ｋ７４を全閉にするように構成してもよい。ファンモータＫ３３が低速で回転している場合には、さらにファンモータＫ３３の回転数を上げるとともに風向板Ｋ７４の空気抵抗を増加させる指令が送信されるように構成してもよい。
【０１３５】
また、空気逆流の気流の力だけで全閉する逆流防止ダンパを分配流路の中に設ける構成を採用してもよい。その場合には、空調用メインコントローラＫ４０からの指令がなくても逆流を防止することができる。
【０１３６】
（４ー９−４−１）
上記変形例Ｉの空気調和システムＫ１については、熱交換器ユニットＫ１０にダクトＫ２０を直接接続する場合について説明したが、ダクトＫ２０を熱交換器ユニットＫ１０に間接的に接続してもよい。例えば、ダクトＫ２０と熱交換器ユニットＫ１０の間に、ダクトＫ２０を熱交換器ユニットＫ１０に接続するための複数の空気出口を持つアタッチメントを取り付けるように構成してもよい。接続可能なダクトＫ２０の本数が異なる複数種類のアタッチメントを準備することで、同じ機種の熱交換器ユニットＫ１０に接続できるダクトＫ２０の本数を変更することができる。
【０１３７】
（４ー９−４−２）
上記変形例Ｉの空気調和システムＫ１については、１台の空調用ファンユニットＫ３０に１つの吹出口ユニットＫ７０を接続する場合について説明したが、１台の空調用ファンユニットＫ３０に複数の吹出口ユニットＫ７０を接続するように構成してもよい。１台の空調用ファンユニットＫ３０に対して複数の吹出口Ｋ７１を設けてもよいということである。この場合、各吹出口ユニットＫ７０に対して、１つの空調用リモートコントローラＫ６０を設けるなど、各空調用ファンユニットＫ３０に複数の空調用リモートコントローラＫ６０を接続してもよい。
【０１３８】
（４ー９−４−３）
室内ＳＩに複数の部屋があって、複数の部屋の間の壁がある場合には、壁に通風口を設けて、吸込口Ｋ８１を１つだけ設けてもよい。ただし、吸込口Ｋ８１を設ける数は、１つに限られず、複数であってもよい。また、吸込口Ｋ８１は、例えば、同じ部屋に複数設けてもよく、異なる部屋の両方に設けてもよい。吸込口Ｋ８１を各部屋に設ける場合には、通風口を設けなくてもよい。
【０１３９】
（４ー９−４−４）
熱交換器ユニットＫ１０に一端Ｋ２１が接続されたダクトＫ２０の他端Ｋ２２に接続された空調用ファンユニットＫ３０に、さらに他のダクトＫ２０と他の空調用ファンユニットＫ３０が接続されてもよい。
【０１４０】
例えば、１つの分配流路に対して、複数の空調用ファンユニットＫ３０を直列に接続してもよい。このような接続態様の一例として、熱交換器ユニットＫ１０からダクトＫ２０、空調用ファンユニットＫ３０、ダクトＫ２０、空調用ファンユニットＫ３０、吹出口ユニットＫ７０の順に、２つのダクトＫ２０と２つの空調用ファンユニットＫ３０と１つの吹出口ユニットＫ７０を直列に接続する態様がある。１つの分配流路に複数の動力源を設けることで、熱交換器ユニットＫ１０から吹出口Ｋ７１までの距離を、同じ動力源を一つだけ設ける場合に比べて長く設定することが可能になる。
【０１４１】
（４ー９−４−５）
上記変形例Ｉの空気調和システムＫ１については、１台の熱源ユニットＫ５０に１台の熱交換器ユニットＫ１０が接続される場合について説明したが、熱源ユニットＫ５０と熱交換器ユニットＫ１０の接続態様は、このような態様には限られない。例えば、１台の熱源ユニットＫ５０に複数台の熱交換器ユニットＫ１０を接続してもよい。また、複数台の熱交換器ユニットＫ１０に対して複数の熱源ユニットＫ５０を接続するように構成してもよい。これらの接続態様では、熱交換器ユニットＫ１０に、利用側熱交換器Ｋ１１を流れる冷媒の流量を調節する流量調整装置を設けてもよい。このような流量調整装置としては、弁開度を変更可能な流量調整弁がある。
【０１４２】
（４ー９−４−６）
上記変形例Ｉの空気調和システムＫ１については、熱源ユニットＫ５０の圧縮機Ｋ５１が回転数を変更できるタイプである場合について説明した。しかし、熱源ユニットＫ５０には、圧縮機Ｋ５１として、回転数を変更できないタイプのものを用いてもよい。
【０１４３】
（４ー９−４−７）
上記変形例Ｉの空気調和システムＫ１については、空気調和システムＫ１が冷房運転と暖房運転を切り換えられるように構成されている場合について説明した。しかし、上記変形例Ｉの空気調和システムＫ１については、冷房専用または暖房専用の空気調和システムに適用することもできる。
【０１４４】
（４ー９−４−８）
上記変形例Ｉの空気調和システムＫ１については、熱源ユニットＫ５０と熱交換器ユニットＫ１０が接続されて、利用側熱交換器Ｋ１１に冷媒を流す冷凍サイクル装置を構成する場合について説明したが、熱源ユニットＫ５０は熱交換器ユニットＫ１０が接続されて冷凍サイクル装置を構成する場合に限らない。利用側熱交換器Ｋ１１に熱エネルギーを供給する熱源ユニットは、例えば、温水及び／または冷水などの熱媒体を供給するように構成してもよい。
【０１４５】
このように利用側熱交換器Ｋ１１に熱媒体を流すように構成する場合、利用側熱交換器Ｋ１１に流れる熱媒体の流量を調節するための流量調整装置を熱交換器ユニットＫ１０に設けてもよい。
【０１４６】
また、このような熱媒体を供給する熱源ユニットに熱交換器ユニットＫ１０を接続する場合、１台の熱源ユニットに複数台の熱交換器ユニットＫ１０を接続するように構成してもよい。
【０１４７】
（４ー９−４−９）
上記変形例Ｉの空気調和システムＫ１については、起動時において、空調用メインコントローラＫ４０が、算出した利用側熱交換器Ｋ１１を通過する空気の総風量と、算出した熱交換器ユニットＫ１０に吸い込まれた空気温度から計算した冷媒回路Ｋ２００の必要な冷媒循環量を要求する場合について説明した。しかし、空調用メインコントローラＫ４０が要求する必要な冷媒循環量の決定方法は前述の方法には限られない。
【０１４８】
例えば、空気調和システムＫ１を次のように構成してもよい。起動時に、空調用メインコントローラＫ４０は、全ての空調用ファンユニットＫ３０から送信されてきた供給空気量を合計して、利用側熱交換器Ｋ１１を通過する総風量を算出する。空調用メインコントローラＫ４０は、例えば内部のメモリに総風量と必要な冷媒循環量との関係を示す風量テーブルを記憶している。空調用メインコントローラＫ４０は、算出した総風量に最も近い風量を風量テーブルに記述されている風量の中から選択する。風量テーブルの中の選択された総風量に対応する冷媒循環量を、空調用メインコントローラＫ４０が熱源コントローラＫ５６に要求する。そして、風量テーブルの中の選択された風量と総風量との差分については、空調用メインコントローラＫ４０から空調用ファンコントローラＫ３４に指令を出して、差分に相当する供給空気量を複数の空調用ファンユニットＫ３０に変更させるように空気調和システムＫ１を構成してもよい。
【０１４９】
また、例えば、空気調和システムＫ１を次のように構成してもよい。起動時において、空調用メインコントローラＫ４０は、空調用ファンコントローラＫ３４を介して空調用リモートコントローラＫ６０の設定温度を受信する。また、空調用メインコントローラＫ４０は、空調用リモートコントローラＫ６０で検出される室内空気温度、吸込温度センサＫ１０１の検出値から算出される室内空気温度、または空調用メインコントローラＫ４０に室内空気温度を送信可能な室内温度センサから室内空気温度を受信する。空調用メインコントローラＫ４０は、受信した設定温度と室内空気温度から空気調和システムＫ１の全体の空調負荷を算出する。空調用メインコントローラＫ４０は、算出した空調負荷から総風量と必要な冷媒循環量を算出する。空調用メインコントローラＫ４０は、各空調用ファンユニットＫ３０の個々の供給空気量を、総風量と各空調用ファンユニットＫ３０の空調負荷の比率との積によって算出して複数の空調用ファンコントローラＫ３４に指令を出す。空調用メインコントローラＫ４０から指示された個々の供給空気量に合わせて各空調用ファンコントローラＫ３４が各自で調整を行うように空気調和システムＫ１を構成してもよい。
【０１５０】
（４ー９−４−１０）
上記変形例Ｉの空気調和システムＫ１では、総風量を主に決定して、それに熱源ユニットＫ５０の冷媒に係る条件を従わせるような制御を空調用メインコントローラＫ４０が行う場合について説明した。しかし、逆に熱源ユニットＫ５０の冷媒に係わる条件を主に決定し、その条件に従わせるように総風量を決定するように、空気調和システムＫ１を構成してもよい。
【０１５１】
例えば、熱源コントローラＫ５６が、圧縮機Ｋ５１の運転周波数及び／または膨張弁Ｋ５３の弁開度の制御を行うように、空気調和システムＫ１が構成される。このように構成された空気調和システムＫ１では、熱源コントローラＫ５６が、現在の利用側熱交換器Ｋ１１を通過する空気の総風量に関する情報を把握する。熱源コントローラＫ５６は、圧縮機Ｋ５１の運転周波数及び／または膨張弁Ｋ５３の開度に関する情報から、現在の総風量に対して、風量を増減させる必要があることを空調用メインコントローラＫ４０に送信する。空調用メインコントローラＫ４０は、熱源コントローラＫ５６からの風量の増減の指示を受けて、複数の空調用ファンユニットＫ３０に対し、どのような割合で各空調用ファンユニットＫ３０の風量を増減させるのがシステム全体のエネルギーを抑制するのに適しているかを計算して指示を出す。
【０１５２】
（４ー９−４−１１）
上記変形例Ｉの空気調和システムＫ１では、圧縮機Ｋ５１の運転周波数を変更することで、冷媒回路Ｋ２００の冷媒循環量を調節している。しかし、空気調和システムＫ１における冷媒循環量の制御は、圧縮機Ｋ５１の運転周波数の制御に限られない。例えば、圧縮機Ｋ５１の運転周波数とともに膨張弁Ｋ５３の弁開度を調節することによって冷媒回路Ｋ２００の冷媒循環量を調節するように制御してもよく、膨張弁Ｋ５３の弁開度を調節することによって冷媒回路Ｋ２００の冷媒循環量を調節するように制御してもよい。
【０１５３】
（４ー９−４−１２）
上記変形例Ｉの空気調和システムＫ１については、利用側熱交換器Ｋ１１の熱交換器温度で総風量の下限値を決めたが、凝縮温度（ＴＣ）、蒸発温度（ＴＥ）、過熱度（ＳＨ）及び過冷却度（ＳＣ）を用いてもよい。過熱度は、例えば、利用側熱交換器Ｋ１１の入口温度と出口温度、あるいは利用側熱交換器Ｋ１１の入口圧力と出口温度を用いて算出することができる。過冷却度は、例えば、利用側熱交換器Ｋ１１の入口温度と出口温度、あるいは利用側熱交換器Ｋ１１の入口圧力と出口温度を用いて算出することができる。
【０１５４】
総風量の下限値は、例えば、予め決めていた固定された値であってもよく、予め下限値が８ｍ３／分と決められていれば、その下限値８ｍ３／分を常に下回らないように、空調用メインコントローラＫ４０が制御を行う。
【０１５５】
また、総風量の下限値は、例えば、冷房運転では、過熱度と現在の総風量と熱交換器ユニットＫ１０に吸い込まれる空気の吸込温度に応じて決められるように空気調和システムＫ１を構成してもよい。また、暖房運転では、過冷却度と現在の総風量と熱交換器ユニットＫ１０に吸い込まれる空気の吸込温度に応じて総風量の下限値が決められるように、空気調和システムＫ１を構成してもよい。また、冷媒循環量（例えば、圧縮機Ｋ５１の運転周波数）と蒸発温度（ＴＥ）と熱交換器ユニットＫ１０に吸い込まれる吸込空気温度及び吸込風量に応じて総風量の下限値が決められるように、空気調和システムＫ１を構成してもよい。また、利用側熱交換器Ｋ１１の通過後の冷媒の渇き度または湿り度から算出される風量過不足風量と現在風量に応じて総風量の下限値が決められるように、空気調和システムＫ１を構成してもよい。さらには、利用側熱交換器Ｋ１１の出口の冷媒圧力と冷媒の温度に応じて総風量の下限値が決められるように、空気調和システムＫ１を構成してもよい。
【０１５６】
（４ー９−４−１３）
（４−１３−１）
上記変形例Ｉの空気調和システムＫ１については、熱交換器ユニットＫ１０から複数のダクトＫ２０を介して吸引して室内ＳＩの複数の吹出口Ｋ７１に供給する調和空気の個別の供給空気量を変更できるように構成されている複数のアクチュエータとして、回転数を変更できるファンモータＫ３３を例に挙げて説明した。しかし、アクチュエータはファンモータＫ３３に限られず、例えば、複数のアクチュエータとして、図１５に示されているダンパＫ３８の駆動モータＫ３９を用いてもよい。図１５に示されている送風ファンＫ３２のファンモータＫ３３は、変形例Ｉと同様の回転数を変更できるタイプのモータであってもよいが、回転数を変更できないタイプのモータであってもよい。ファンモータＫ３３が回転数を変更できないタイプであるときには、ダンパＫ３８だけで空調用ファンユニットＫ３０から吹出口ユニットＫ７０への供給空気量（風量）を変更することになる。それに対して、ファンモータＫ３３が回転数を変更できるタイプであるときには、ダンパＫ３８の開度の変更だけでなく、ファンモータＫ３３の回転数の変更も合わせて空調用ファンユニットＫ３０から吹出口ユニットＫ７０への供給空気量（風量）を変更することになる。
【０１５７】
また、吹出口Ｋ７１に供給する調和空気の個別の供給空気量を変更するためのユニットとして、ダンパＫ３８を有するがファンを有しないダンパユニットを用いることができる。言い換えると、空気調和システムＫ１が、例えばファンを一定の速度で回転させるだけで供給空気量を変更する機能を持たないファンユニットと、当該ファンユニットとは別体のダンパユニットとを備えるように構成することもできる。例えば、ダンパＫ３８で供給空気量を変更することのできるダンパユニットをダクトＫ２０ａ〜Ｋ２０ｄのうちの少なくとも一つの途中に設けるように、空気調和システムＫ１を構成してもよい。また、空気調和システムＫ１は、供給空気量を変更する機能を有する空調用ファンユニットＫ３０と、供給空気量を変更する機能を有するダンパユニットとを一緒にダクトＫ２０ａ〜Ｋ２０ｄのうちの少なくとも一つに配置する構成をとることもできる。
【０１５８】
（４−１３−２）逆流が発生したときの動作
空調用メインコントローラＫ４０は、空調用ファンユニットＫ３０の連動により空気逆流を解消する。空気逆流解消のために先ず、空調用メインコントローラＫ４０は、空気逆流が発生している分配流路に繋がっている空調用ファンユニットＫ３０を検知する。空調用ファンユニットＫ３０がダンパＫ３８のみで供給空気量を調整する構成の場合には、空気逆流の発生している分配流路の空調用ファンユニットＫ３０の空調用ファンコントローラＫ３４に対して、空調用メインコントローラＫ４０からダンパＫ３８の開度を変更させる指令を送信する。例えば、空気逆流が発生している空調用ファンユニットＫ３０が運転していない場合には、ダンパＫ３８を全閉にする指令が送信される。ファンモータＫ３３を一定の回転で送風しながらダンパＫ３８の開度によって送風しているときには通常は空気逆流が発生することは無いので、空調用メインコントローラＫ４０は、そのような場合に空気逆流が発生した場合には、例えば空調用リモートコントローラＫ６０を使って異常の発生をユーザに報知する。
【０１５９】
空調用ファンユニットＫ３０がファンモータＫ３３の回転数とダンパＫ３８の開度の両方で供給空気量を調整できる構成の場合には、空気逆流の発生している分配流路の空調用ファンユニットＫ３０の空調用ファンコントローラＫ３４に対して、空調用メインコントローラＫ４０からファンモータＫ３３の回転数および／またはダンパＫ３８の開度を変更させる指令を送信する。例えば、空気逆流が発生している空調用ファンユニットＫ３０が運転していない場合には、ダンパＫ３８を全閉にする指令が送信される。また、例えば、ファンモータＫ３３が低速で回転している場合には、さらに回転数を上げる指令が送信される。あるいは、例えば、ファンモータＫ３３が低速で回転している場合には、ダンパＫ３８の開度を小さくするとともにファンモータＫ３３の回転数を上げる指令が送信されるように構成されてもよい。
【０１６０】
（４ー９−４−１４）
上記変形例Ｉの空気調和システムＫ１については、空気逆流を検出する検出装置として、差圧センサＫ１２１が用いられる場合について説明したが、空気逆流を検出する検出装置は差圧センサＫ１２１を用いるものには限られない。このような検出装置として、指向性のある風速センサを用いてもよい。差圧センサＫ１２１に変えて指向性のある風速センサを用いる場合には、風速センサを例えば空調用ファンユニットＫ３０に配置して空調用ファンコントローラＫ３４に接続する。指向性のある風速センサを用いる場合には、例えば、正の方向の風速を示すときには正常な方向に空気が流れ、その逆の負の方向の風速を示すときには空気逆流が発生していることを、空調用メインコントローラＫ４０が検知することができる。また、検出装置を複数の無指向性の風速センサを用いて構成することもできる。複数の無指向性の風速センサで風速の分布を検出し、風速の分布が逆流の際に生じる分布であれば、空調用メインコントローラＫ４０で、逆流が発生していると判断することができる。
【０１６１】
（４ー９−４−１５）
上記変形例Ｉの空気調和システムＫ１については、熱交換器ユニットＫ１０に設置されている空調用メインコントローラＫ４０に並列に複数の空調用ファンユニットＫ３０の複数の空調用ファンコントローラＫ３４を直接接続する場合について説明した。しかし、複数の空調用ファンユニットＫ３０を親機と子機に分けて、空調用ファンコントローラＫ３４を空調用メインコントローラＫ４０に接続してもよい。
【０１６２】
例えば、１台の熱交換器ユニットＫ１０に５台の空調用ファンユニットＫ３０Ｍ，Ｋ３０Ｓを接続する場合、図１６に示されているように、１台の親機の空調用ファンユニットＫ３０Ｍと４台の子機の空調用ファンユニットＫ３０Ｓに分ける。５台の空調用ファンユニットＫ３０Ｍ，Ｋ３０Ｓの構成は、上述の空調用ファンユニットＫ３０と同じ構成である。熱交換器ユニットＫ１０の空調用メインコントローラＫ４０は、熱源ユニットＫ５０の熱源コントローラＫ５６と、１台の親機の空調用ファンユニットＫ３０Ｍとに接続される。さらに、１台の親機の空調用ファンユニットＫ３０Ｍの空調用ファンコントローラＫ３４は、４台の子機の空調用ファンユニットＫ３０Ｓの空調用ファンコントローラＫ３４に接続される。空調用メインコントローラＫ４０は、親機の空調用ファンユニットＫ３０Ｍの空調用ファンコントローラＫ３４を介して、４台の子機の空調用ファンユニットＫ３０Ｓの空調用ファンコントローラＫ３４を管理する。４台の子機の空調用ファンコントローラＫ３４への指令は、空調用メインコントローラＫ４０が直接行なってもよく、空調用メインコントローラＫ４０からの指令を受けて親機の空調用ファンユニットＫ３０Ｍの空調用ファンコントローラＫ３４が行なってもよい。
【０１６３】
（４ー９−４−１６）
上記変形例Ｉ及び上記（４ー９−４−１５）の空気調和システムＫ１については、熱交換器ユニットＫ１０に空調用メインコントローラＫ４０を設置したが、空調用メインコントローラＫ４０は、図１７または図１８に示されているように、親機の空調用ファンユニットＫ３０Ｍに設置してもよい。
【０１６４】
この場合には、熱交換器ユニットＫ１０には、内部に配置される種々のセンサへの接続のためのターミナルＫ１９が設けられる。空調用メインコントローラＫ４０は、熱交換器ユニットＫ１０のターミナルＫ１９を介して、熱交換器ユニットＫ１０の内部のセンサに接続される。図１７に記載されているように、熱源ユニットＫ５０の熱源コントローラＫ５６は、熱交換器ユニットＫ１０を介して空調用ファンユニットＫ３０Ｍの空調用メインコントローラＫ４０に接続される。あるいは、図１８に記載されているように、熱源ユニットＫ５０の熱源コントローラＫ５６は、直接、空調用ファンユニットＫ３０Ｍの空調用メインコントローラＫ４０に接続される。
【０１６５】
例えば、１台の熱交換器ユニットＫ１０に５台の空調用ファンユニットＫ３０Ｍ，Ｋ３０ＧＭ，Ｋ３０Ｓを接続する場合、図７１または図１８に示されているように、１台の親機の空調用ファンユニットＫ３０Ｍと、２台のグループ親機の空調用ファンユニットＫ３０ＧＭと、２台の子機の空調用ファンユニットＫ３０Ｓに分ける。ここでは、親機の空調用ファンユニットＫ３０Ｍの空調用ファンコントローラＫ３４が空調用メインコントローラＫ４０に置き換わるだけで、その他、５台の空調用ファンユニットＫ３０Ｍ，Ｋ３０ＧＭ，Ｋ３０Ｓの構成は、上述の空調用ファンユニットＫ３０と同じ構成である。空調用ファンユニットＫ３０Ｍの空調用メインコントローラＫ４０は、グループ親機の空調用ファンユニットＫ３０ＧＭに接続される。次に、各グループ親機の空調用ファンユニットＫ３０ＧＭの空調用ファンコントローラＫ３４には、各グループの子機の空調用ファンユニットＫ３０Ｓの空調用ファンコントローラＫ３４が接続される。ここでは、１台のグループ親機の空調用ファンユニットＫ３０ＧＭの空調用ファンコントローラＫ３４に、１台の子機の空調用ファンユニットＫ３０Ｓの空調用ファンコントローラＫ３４が接続される場合について説明しているが、グループ親機の空調用ファンコントローラＫ３４に接続される子機の空調用ファンコントローラＫ３４の数は１台に限られず、２台以上であってもよい。また、グループ親機の数も２台に限られず、１台であってもよく、３台以上であってもよい。さらには、１台の空調用ファンユニットＫ３０Ｍの空調用メインコントローラＫ４０に、子機の空調用ファンユニットＫ３０Ｓの空調用ファンコントローラＫ３４を並列に複数接続するように構成してもよい。
【０１６６】
空調用メインコントローラＫ４０は、２台のグループ親機の空調用ファンユニットＫ３０ＧＭの空調用ファンコントローラＫ３４を管理する。また、空調用メインコントローラＫ４０は、グループ親機の空調用ファンユニットＫ３０ＧＭの空調用ファンコントローラＫ３４を介して、２台のグループ子機の空調用ファンユニットＫ３０Ｓの空調用ファンコントローラＫ３４を管理する。２台の子機の空調用ファンコントローラＫ３４への指令は、空調用メインコントローラＫ４０が直接行なってもよく、空調用メインコントローラＫ４０からの指令を受けてグループ親機の空調用ファンコントローラＫ３４が行なってもよい。
【０１６７】
（４ー９−４−１７）
上記変形例Ｉ、上記（４ー９−４−１５）及び上記（４ー９−４−１６）の空気調和システムＫ１については、熱交換器ユニットＫ１０に空調用メインコントローラＫ４０を設置したが、空調用メインコントローラＫ４０は、図１９、図２０、図２１または図２２に示されているように、熱交換器ユニットＫ１０、空調用ファンユニットＫ３０及び熱源ユニットＫ５０以外の他の場所に設置してもよい。
【０１６８】
この場合には、熱交換器ユニットＫ１０には、内部に配置される種々のセンサへの接続のためのターミナルＫ１９が設けられる。空調用メインコントローラＫ４０は、熱交換器ユニットＫ１０のターミナルＫ１９を介して、熱交換器ユニットＫ１０の内部のセンサに接続される。
【０１６９】
図１９には、変形例Ｉの空調用メインコントローラＫ４０と空調用ファンコントローラＫ３４と熱源コントローラＫ５６の接続形態と同様の接続で、空調用メインコントローラＫ４０の設置位置を熱交換器ユニットＫ１０から他の場所に移動した構成が示されている。
【０１７０】
図２０には、図１７に示された例の空調用メインコントローラＫ４０と空調用ファンコントローラＫ３４と熱源コントローラＫ５６の接続形態と同様の接続で、空調用メインコントローラＫ４０の設置位置を熱交換器ユニットＫ１０から他の場所に移動した構成が示されている。
【０１７１】
（４ー９−４−１８）
上記（４ー９−４−１７）では、空調用メインコントローラＫ４０に並列に複数の空調用ファンユニットＫ３０の複数の空調用ファンコントローラＫ３４を直接接続する場合（図１９参照）と、１台の親機の空調用ファンユニットＫ３０Ｍの空調用ファンコントローラＫ３４に２台のグループ親機の空調用ファンユニットＫ３０ＧＭの空調用ファンコントローラＫ３４を接続し、グループ親機に子機の空調用ファンユニットＫ３０Ｓの空調用ファンコントローラＫ３４を接続する場合（図２０及び図２１参照）とについて説明した。しかし、全体の親機を設けずに、親機をグループの親機に分けて、空調用ファンコントローラＫ３４を空調用メインコントローラＫ４０に接続してもよい。
【０１７２】
例えば、１台の熱交換器ユニットＫ１０に５台の空調用ファンユニットＫ３０ＧＭ，Ｋ３０Ｓを接続する場合、図２２に示されているように、３台のグループ親機の空調用ファンユニットＫ３０ＧＭと、２台の子機の空調用ファンユニットＫ３０Ｓに分ける。５台の空調用ファンユニットＫ３０ＧＭ，Ｋ３０Ｓの構成は、上述の空調用ファンユニットＫ３０と同じ構成である。熱交換器ユニットＫ１０の空調用メインコントローラＫ４０は、熱源ユニットＫ５０の熱源コントローラＫ５６と、３台のグループ親機の空調用ファンユニットＫ３０ＧＭとに接続される。次に、２台のグループ親機の空調用ファンユニットＫ３０ＧＭの空調用ファンコントローラＫ３４には、各グループの子機の空調用ファンユニットＫ３０Ｓの空調用ファンコントローラＫ３４が接続される。しかし、１台のグループ親機の空調用ファンユニットＫ３０ＧＭの空調用ファンコントローラＫ３４には、子機の空調用ファンコントローラＫ３４が接続されていない。ここでは、１台のグループ親機の空調用ファンユニットＫ３０ＧＭの空調用ファンコントローラＫ３４に、１台の子機の空調用ファンユニットＫ３０Ｓの空調用ファンコントローラＫ３４が接続される場合と子機の空調用ファンコントローラＫ３４が接続される場合について説明しているが、グループ親機の空調用ファンコントローラＫ３４に接続される子機の空調用ファンコントローラＫ３４の数は１台に限られず、２台以上であってもよい。
【０１７３】
空調用メインコントローラＫ４０は、２台のグループ親機の空調用ファンユニットＫ３０ＧＭの空調用ファンコントローラＫ３４を介して、２台のグループ子機の空調用ファンユニットＫ３０Ｓの空調用ファンコントローラＫ３４を管理する。２台の子機の空調用ファンコントローラＫ３４への指令は、空調用メインコントローラＫ４０が直接行なってもよく、空調用メインコントローラＫ４０からの指令を受けてグループ親機の空調用ファンコントローラＫ３４が行なってもよい。
【０１７４】
このように、熱交換器ユニットＫ１０及び複数の空調用ファンユニットＫ３０以外の場所に空調用メインコントローラＫ４０が配置されるので、空調用メインコントローラＫ４０の設置が熱交換器ユニットＫ１０及び複数の空調用ファンユニットＫ３０ＧＭ，Ｋ３０Ｓに束縛されなくなって空調用メインコントローラＫ４０の設置の自由度が増し、空調用メインコントローラＫ４０が取り扱い易くなる。
【０１７５】
（４ー９−４−１９）
上記変形例Ｉの空気調和システムＫ１については、差圧センサＫ１２１（風量検知部）を用いて決められた区間内の差圧を検出する構成について説明したが、風量を検知する構成はこのような構成には限られない。風量を検知する構成は、例えば、差圧センサを用いて空調用ファンユニットＫ３０の送風ファンＫ３２の前後の差圧を検知し、送風ファンＫ３２の前後の差圧特性から空調用メインコントローラＫ４０または空調用ファンコントローラＫ３４が風量を算出するように構成することもできる。この場合も差圧センサが風量検知部になる。例えば、風速センサを用いて特定の位置の風速を検知し、特定の位置の風速特性から空調用メインコントローラＫ４０または空調用ファンコントローラＫ３４が風量を算出するように構成することもできる。この場合には風速センサが風量検知部になる。例えば、圧力センサを用いて内部圧力変位を検知し、既定の風量が流れた際の内部圧力変位と、検知された圧力変位とを比較して空調用メインコントローラＫ４０または空調用ファンコントローラＫ３４が風量を算出するように構成することもできる。この場合には、圧力センサが風量検知部になる。また、例えば、送風ファンＫ３２の運転電流を用いて、ファンモータＫ３３の仕事量から空調用メインコントローラＫ４０または空調用ファンコントローラＫ３４が風量を算出するように構成することもできる。この場合には運転電流を検知する機器が風量検知部になる。
【０１７６】
（４ー９−４−２０）
上記変形例Ｉの空気調和システムＫ１については、空調用メインコントローラＫ４０が冷媒循環量を算出し、熱源コントローラＫ５６に圧縮機Ｋ５１の運転周波数の変更の要求を送信し、熱源コントローラＫ５６が圧縮機Ｋ５１の運転周波数を制御する場合を例に挙げて説明した。しかし、空調用メインコントローラＫ４０が、圧縮機Ｋ５１の運転周波数の制御及び／または膨張弁Ｋ５３の弁開度の制御を行うように、空気調和システムＫ１が構成されてもよい。
【０１７７】
（４ー９−４−２１）
上記変形例Ｉの空気調和システムＫ１については、熱交換器ユニットＫ１０に複数のダクトＫ２０ａ〜Ｋ２０ｄが接続され、各ダクトＫ２０ａ〜Ｋ２０ｄが途中で分岐せずに熱交換器ユニットＫ１０から各空調用ファンユニットＫ３０まで延びている場合について説明した。しかし、空気調和システムＫ１には、途中で分岐するダクトを用いることもできる。例えば、１つのダクトの分岐したそれぞれの分岐先に一つずつ空調用ファンユニットＫ３０を接続するように、空気調和システムＫ１を構成することもできる。
【０１７８】
（４ー９−５−１）
変形例Ｉの空気調和システムＫ１は、空調用コントローラＫ３００と、複数のダクトＫ２０，Ｋ２０ａ〜Ｋ２０ｅと、複数の空調用ファンユニットＫ３０，Ｋ３０ａ〜Ｋ３０ｄ，３０Ｍ，Ｋ３０ＧＭ，Ｋ３０Ｓとを備えている。複数のダクトＫ２０，Ｋ２０ａ〜Ｋ２０は、熱交換器ユニットＫ１０の利用側熱交換器Ｋ１１を通過した調和空気を分配するためのものである。複数の空調用ファンユニットＫ３０，Ｋ３０ａ〜Ｋ３０ｄ，３０Ｍ，Ｋ３０ＧＭ，Ｋ３０Ｓは、複数のダクトＫ２０，Ｋ２０ａ〜Ｋ２０ｅに対応して設けられ、熱交換器ユニットＫ１０から複数のダクトＫ２０，Ｋ２０ａ〜Ｋ２０ｅを介して室内ＳＩに調和空気を供給する。複数のアクチュエータは、室内ＳＩに供給する調和空気の供給空気量を変更できるように構成されている。変形例Ｉにおいて、複数のアクチュエータは、複数のファンモータＫ３３、複数の駆動モータＫ３９及び複数の風向板用モータＫ７５の中から選択される。複数のアクチュエータは、複数のファンモータＫ３３、複数の駆動モータＫ３９または複数の風向板用モータＫ７５である場合がある。それだけでなく、複数のアクチュエータは、異なる種類のアクチュエータ、例えばファンモータＫ３３と駆動モータＫ３９の両方を同時に含む場合もある。複数のダクトＫ２０，Ｋ２０ａ〜Ｋ２０ｅの各々が、複数の分配流路のうちの一つに配置されている。複数の空調用ファンユニットＫ３０，Ｋ３０ａ〜Ｋ３０ｄ，３０Ｍ，Ｋ３０ＧＭ，Ｋ３０Ｓの各々が、第１ファンである送風ファンＫ３２，Ｋ３２ａ〜Ｋ３２ｄを有し、複数の分配流路のうちの一つに配置されている。複数のアクチュエータの各々が、複数の分配流路のうちの一つに配置されている。空調用コントローラＫ３００が、複数のアクチュエータを制御することにより、複数の空調用ファンユニットＫ３０，Ｋ３０ａ〜Ｋ３０ｄ，３０Ｍ，Ｋ３０ＧＭ，Ｋ３０Ｓの供給空気量をそれぞれ制御する。その結果、変形例Ｉの空気調和システムＫ１は、利用側熱交換器Ｋ１１で効率的に熱交換できるように利用側熱交換器Ｋ１１を通過する風量を調整でき、エネルギー消費を抑制することができる。
【０１７９】
（４ー９−５−２）
変形例Ｉの空調用コントローラＫ３００の空調用メインコントローラＫ４０が、複数の空調用ファンユニットＫ３０の中の複数のアクチュエータである複数のファンモータＫ３３の回転数もしくは複数のダンパＫ３８の駆動モータＫ３９または風向板Ｋ７４の風向板用モータＫ７５を制御するために、複数の空調用ファンユニットＫ３０の供給空気量に関する複数の指示を出している。その結果、利用側熱交換器Ｋ１１で効率的に熱交換できるように利用側熱交換器Ｋ１１を通過する風量を調整でき、エネルギー消費を抑制することができる。
【０１８０】
（４ー９−５−３）
変形例Ｉの空気調和システムＫ１では、空調用メインコントローラＫ４０が熱交換器ユニットＫ１０に配置されているので、熱交換器ユニットＫ１０から供給される調和空気の流れに合わせて空調用メインコントローラＫ４０と複数のアクチュエータであるファンモータＫ３３とを結ぶネットワークを構築すればよい。そのため、空調用メインコントローラＫ４０の指示を伝えるためのネットワークを、熱交換器ユニットＫ１０を起点として容易に構築できる。
【０１８１】
（４ー９−５−４）
空調用メインコントローラＫ４０が、複数の空調用ファンユニットＫ３０の中の一つである親機の空調用ファンユニットＫ３０Ｍに配置されている場合には、複数の空調用ファンユニットＫ３０のネットワークを接続することで空調用メインコントローラＫ４０を複数の空調用ファンユニットＫ３０の中に一つ含む空気調和システムＫ１が形成でき、空気調和システムＫ１を容易に構築できる。言い換えると、複数の空調用ファンユニットＫ３０の中に少なくとも一つの親機の空調用ファンユニットＫ３０Ｍが含まれていればよいので、空気調和システムＫ１の設計及び施工が容易になる。
【０１８２】
なお、空調用メインコントローラＫ４０が複数存在する場合には、複数の空調用メインコントローラＫ４０が協調して恰も１つのメインコントローラとして振舞うように構成してもよい。例えば、増築した場合に、新たに追加された空調用メインコントローラＫ４０と増築前からある空調用メインコントローラＫ４０が通信して、新たな１つのメインコントローラとして機能するように構成することもできる。
【０１８３】
（４ー９−５−５）
熱交換器ユニットＫ１０及び複数の空調用ファンユニットＫ３０以外の場所に空調用メインコントローラＫ４０が配置される場合には、空調用メインコントローラＫ４０の設置が熱交換器ユニットＫ１０及び複数の空調用ファンユニットＫ３０Ｍ，Ｋ３０ＧＭ，Ｋ３０Ｓに束縛されなくなって空調用メインコントローラＫ４０の設置の自由度が増し、空調用メインコントローラＫ４０が取り扱い易くなる。
【０１８４】
（４ー９−５−４）
変形例Ｉの空気調和システムＫ１は、利用側熱交換器Ｋ１１を通過する気流が複数の空調用ファンユニットＫ３０の空気吸込力のみによって発生するように構成されている。その結果、熱交換器ユニットＫ１０の中に気流を発生させる動力源を設けなくても済むことから熱交換器ユニットＫ１０の中に気流発生のための動力源を設ける場合に比べてコストを低減することができる。また、熱交換器ユニットＫ１０を薄型化し易くなり、空気調和システムＫ１を設置できる範囲を広げることができる。
【０１８５】
（４ー９−５−７）
熱交換器ユニットＫ１０が、利用側熱交換器Ｋ１１または利用側熱交換器Ｋ１１に接続されている配管内を流れる熱媒体である冷媒の温度を検知するための熱媒体温度センサであるガス側温度センサＫ１０２、液側温度センサＫ１０３及び利用側熱交換器温度センサＫ１０４並びに熱交換器ユニットに吸い込まれる空気の温度を検知するための吸込温度センサＫ１０１のうちの少なくとも一つを有し、空調用メインコントローラＫ４０が、供給空気量の増減に関する指示の決定に、熱媒体温度センサ及び吸込温度センサのうちの少なくとも一つの検出値を使用している場合には、熱交換器ユニットＫ１０の動作条件に適するように複数の空調用ファンユニットＫ３０に空気の供給をさせる指示を空調用メインコントローラＫ４０が出し易くなる。例えば、熱源ユニットＫ５０から熱交換器ユニットＫ１０に供給する熱エネルギーが不足するときに、空調用メインコントローラＫ４０が、利用側熱交換器温度センサＫ１０４の検出値に基づいて供給空気量を減少させることで、熱源ユニットＫ５０から供給される冷媒の温度が下がりすぎるなどの不具合を抑制することができる。
【０１８６】
（４ー９−５−８）
変形例Ｉの空気調和システムＫ１の空調用リモートコントローラＫ６０は、室内ＳＩの温度を設定する設定温度機能及び室内温度検知機能を持っている。空調用メインコントローラＫ４０は、供給空気量の増減に関する指示の決定に、空調用リモートコントローラＫ６０の設定温度及び空調用リモートコントローラＫ６０で検知された室内温度を使用する。その結果、室内ＳＩの温度を設定温度に近づけるように空調用メインコントローラＫ４０が指示をすることができる。変形例Ｉの空気調和システムＫ１では、空調用リモートコントローラＫ６０が室内ＳＩの中の複数の箇所に設置されているので、複数個所のそれぞれの室内空気温度を設定温度に近づけ易くなる。
【０１８７】
（４ー９−５−９）
変形例Ｉの空気調和システムＫ１は、利用側熱交換器Ｋ１１に循環させる冷媒を圧縮する圧縮機Ｋ５１と、利用側熱交換器Ｋ１１に循環される冷媒の熱交換を行う熱源側熱交換器Ｋ５２と、利用側熱交換器Ｋ１１と熱源側熱交換器Ｋ５２との間で流通する冷媒を膨張させる膨張弁Ｋ５３とを備えている。そして、空調用メインコントローラＫ４０は、熱源コントローラＫ５６を介して、システム動作を制御するために圧縮機Ｋ５１及び／または膨張弁Ｋ５３に接続されている。その結果、供給空気量の増減とともに例えば演算により導き出される冷媒循環量になるように圧縮機Ｋ５１の回転数及び／または膨張弁Ｋ５３の弁開度を制御してシステム動作を適切に制御することができ、利用側熱交換器Ｋ１１と熱源側熱交換器Ｋ５２を循環する冷媒に適切な冷凍サイクルを行わせながら供給空気量の増減を制御することができる。
【０１８８】
（４ー９−４−１０）
変形例Ｉの空気調和システムＫ１では、システム動作を制御するために圧縮機Ｋ５１及び／または膨張弁Ｋ５３に空調用メインコントローラＫ４０が接続されているので、空調用メインコントローラＫ４０が、供給空気量の増減とともに例えば演算により導き出される冷媒循環量になるように圧縮機Ｋ５１の回転数及び／または膨張弁Ｋ５３の弁開度を制御してシステム動作を適切に制御することができる。空調用メインコントローラＫ４０は、利用側熱交換器Ｋ１１と熱源側熱交換器Ｋ５２を循環する冷媒に適切な冷凍サイクルを行わせながら供給空気量の増減を制御することができる。
【０１８９】
（４ー９−５−１１）
変形例Ｉの空気調和システムＫ１では、システム動作を制御するために圧縮機Ｋ５１の回転数及び／または膨張弁Ｋ５３の弁開度を示す情報に基づいて空調用メインコントローラＫ４０がアクチュエータであるファンモータＫ３３またはダンパＫ３８を制御するので、利用側熱交換器と熱源側熱交換器を循環する冷媒に適切な冷凍サイクルを行わせながら供給空気量の増減を制御することができる。
【０１９０】
（４ー９−５−１２）
空調用メインコントローラＫ４０は、複数のダクトＫ２０で熱交換器ユニットＫ１０から複数の吹出口Ｋ７１に向かう調和空気が逆流しないように複数のアクチュエータであるファンモータＫ３３を調整しつつ複数のファンモータＫ３３により利用側熱交換器Ｋ１１を通過する風量を制御する。その結果、調和空気が複数のダクトで逆流することによる熱交換効率の低下を防止することができる。また、空調用メインコントローラＫ４０は、前述の制御と合わせて、圧縮機Ｋ５１の回転数及び／または膨張弁Ｋ５３の弁開度によって冷媒の循環量を制御することで、熱交換効率の低下を抑制し易くなる。
【０１９１】
（４ー９−５−１３）
変形例Ｉの空気調和システムＫ１が、各ダクトＫ２０に取り付けられた各空調用ファンユニットＫ３０の各ダンパＫ３８を備え、各ダンパＫ３８を駆動する駆動モータＫ３９（アクチュエータの一例）を含んでいる。空調用メインコントローラＫ４０は、複数のダクトＫ２０で熱交換器ユニットＫ１０から複数の吹出口Ｋ７１に向かう調和空気が逆流しないように複数のダンパＫ３８の開度を調整する制御を行う。その結果、調和空気が複数のダクトＫ２０で逆流することによる熱交換効率の低下の防止を容易に実現することができる。
【０１９２】
あるいは、各ダクトＫ２０に取り付けられた各吹出口ユニットＫ７０の各風向板Ｋ７４を備え、各風向板Ｋ７４を駆動する風向板用モータＫ７５を含んでいる。空調用メインコントローラＫ４０は、複数のダクトＫ２０で熱交換器ユニットＫ１０から複数の吹出口Ｋ７１に向かう調和空気が逆流しないように複数の風向板Ｋ７４の開度を調整する制御を行う。その結果、調和空気が複数のダクトＫ２０で逆流することによる熱交換効率の低下の防止を容易に実現することができる。
【０１９３】
（４ー９−５−１４）
変形例Ｉの空気調和システムＫ１は、複数の空調用ファンユニットＫ３０の個別の供給空気量を変更できるように構成されている複数のファンモータＫ３３を備えている。そして、空気調和システムＫ１は、各ファンモータＫ３３の回転数を調整することにより各ダクトＫ２０で調和空気が逆流しないように制御するので、調和空気が各ダクトＫ２０で逆流することによる熱交換効率の低下の防止を容易に実現することができる。
【０１９４】
（４−１０）変形例Ｊ
（４−１０−１）全体構成
複数の空調用ファンユニットＫ３０の供給空気量に関する複数の指示により複数のアクチュエータを空調用メインコントローラＫ４０が制御する形態は、変形例Ｉの形態には限られない。複数の空調用ファンユニットＫ３０の供給空気量に関する複数の指示により複数のアクチュエータを空調用メインコントローラＫ４０が制御する空気調和システムＫ１は、変形例Ｊのように構成されてもよい。このような変形例Ｊの空気調和システムＫ１を、上記実施形態の空気処理システム１と組み合わせてもよい。
【０１９５】
変形例Ｊの空気調和システムＫ１では、空調用メインコントローラＫ４０が送信した複数の指示を複数のサブコントローラである複数の空調用ファンコントローラＫ３４が受信する。変形例Ｊの空気調和システムＫ１では、複数の空調用ファンコントローラＫ３４の各々が、複数の指示のうちの少なくとも一つに基づき、複数のアクチュエータのうちの少なくとも一つを制御する。
【０１９６】
具体的には、変形例Ｊの空気調和システムＫ１が、変形例Ｉの空気調和システムＫ１と同様に、図１に示されている構成を有している場合を例に挙げて説明する。変形例Ｊでは、図１に示されている空気調和システムＫ１が、ファンモータＫ３３により供給空気量を変更し、ダンパＫ３８及び風向板Ｋ７４が供給空気量の変更に関与しない場合について説明する。
【０１９７】
変形例Ｊの空調用メインコントローラＫ４０が、変形例Ｉの空調用メインコントローラＫ４０と同様に、各吹出温度センサＫ１２２で検出される吹出温度と設定温度から各空調用ファンユニットＫ３０から吹出させるのに必要な供給空気量を算出する。具体的には、例えば、空調用メインコントローラＫ４０は、室内空気温度と設定温度との温度差及び送風温度から各空調用ファンユニットＫ３０ａ〜Ｋ３０ｄの供給空気量を算出する。空調用メインコントローラＫ４０は、算出した各空調用ファンユニットＫ３０ａ〜Ｋ３０ｄの供給空気量（目標供給空気量）を、各空調用ファンユニットＫ３０ａ〜Ｋ３０ｄに与える指示として決定する。
【０１９８】
空調用メインコントローラＫ４０は、算出した複数の供給空気量を目標供給空気量として、複数の空調用ファンコントローラＫ３４に送信する。言い換えると、空調用メインコントローラＫ４０は、空調用ファンユニットＫ３０ａ〜Ｋ３０ｄを制御する複数の空調用ファンコントローラＫ３４に、複数の指示を送信する。空調用メインコントローラＫ４０は、例えば、空調用ファンユニットＫ３０ａに取り付けられている空調用ファンコントローラＫ３４に、空調用ファンユニットＫ３０ａの目標供給空気量を送信する。この空調用ファンユニットＫ３０ａの目標供給空気量が、空調用ファンユニットＫ３０の供給空気量に関する指示である。空調用ファンユニットＫ３０ａの空調用ファンコントローラＫ３４は、供給空気量を目標供給空気量に近づけるようにファンモータＫ３３ａの回転数を制御する。同様に、空調用メインコントローラＫ４０は、空調用ファンユニットＫ３０ｂ〜Ｋ３０ｄに取り付けられている空調用ファンコントローラＫ３４に、空調用ファンユニットＫ３０ｂ〜Ｋ３０ｄの目標供給空気量を送信する。空調用ファンユニットＫ３０ｂ〜Ｋ３０ｄの空調用ファンコントローラＫ３４は、供給空気量を目標供給空気量に近づけるようにファンモータＫ３３ｂ〜Ｋ３３ｄを制御する。
【０１９９】
さらに詳細に説明すると、空調用ファンユニットＫ３０ａ〜Ｋ３０ｄは、それぞれ、ユニット内を通過する風量を検知する風量検知部として差圧センサＫ１２１を有している。なお、風量検知部は、差圧センサＫ１２１には限られない。例えば、風量検知部は、風速センサであってもよい。例えば、空調用ファンユニットＫ３０ａの空調用ファンコントローラＫ３４は、空調用ファンユニットＫ３０ａの差圧センサＫ１２１で検知される空調用ファンユニットＫ３０ａの中を通過する風量（供給空気量）と目標風量（目標供給空気量）とを比較する。空調用ファンユニットＫ３０ａの空調用ファンコントローラＫ３４は、空調用ファンユニットＫ３０ａの中を通過する風量が目標風量よりも小さければ、ファンモータＫ３３ａの回転数を増加させて、空調用ファンユニットＫ３０ａの風量（供給空気量）を増加させて目標風量に近づける。逆に、空調用ファンユニットＫ３０ａの中を通過する風量が目標風量よりも大きければ、ファンモータＫ３３ａの回転数を減少させて、空調用ファンユニットＫ３０ａの風量（供給空気量）を減少させて目標風量に近づける。
【０２００】
ここでは、空調用ファンコントローラＫ３４が空調用ファンユニットＫ３０に取り付けられている場合について説明している。しかし、空調用ファンコントローラＫ３４は空調用ファンユニットＫ３０に取り付けられていなくてもよい。
【０２０１】
（４−１０−２）
上記変形例Ｊでは、ファンモータＫ３３が、供給空気量を変更するアクチュエータとして機能する場合について説明した。しかし、変形例Ｊにおける供給空気量を変更するアクチュエータは、ファンモータＫ３３には限られない。例えば、複数のアクチュエータとして、図５に示されているダンパＫ３８の駆動モータＫ３９を用いてもよい。図５に示されている送風ファンＫ３２のファンモータＫ３３は、変形例Ｊと同様の回転数を変更できるタイプのモータであってもよいが、回転数を変更できないタイプのモータであってもよい。ファンモータＫ３３が回転数を変更できないタイプであるときには、例えば、ダンパＫ３８だけで空調用ファンユニットＫ３０から吹出口ユニットＫ７０への供給空気量（風量）を変更することになる。それに対して、ファンモータＫ３３が回転数を変更できるタイプであるときには、ダンパＫ３８の開度の変更だけでなく、ファンモータＫ３３の回転数の変更も合わせて空調用ファンユニットＫ３０から吹出口ユニットＫ７０への供給空気量（風量）を変更することになる。この場合、空調用ファンコントローラＫ３４が、アクチュエータである駆動モータＫ３９とファンモータＫ３３の両方を制御するように構成されてもよい。
【０２０２】
ファンモータＫ３３が回転数を変更できないタイプであって、ダンパＫ３８だけで空調用ファンユニットＫ３０から吹出口ユニットＫ７０への供給空気量（風量）を変更する場合、空調用ファンコントローラＫ３４に代えてダンパコントローラが設けられる。空調用メインコントローラＫ４０は、算出した供給空気量を目標供給空気量として、複数のダンパコントローラに送信する。空調用メインコントローラＫ４０は、例えば、空調用ファンユニットＫ３０ａ〜Ｋ３０ｄに取り付けられているダンパコントローラに、空調用ファンユニットＫ３０ａ〜Ｋ３０ｄの目標供給空気量を送信する。この空調用ファンユニットＫ３０ａ〜Ｋ３０ｄの目標供給空気量が、空調用ファンユニットＫ３０の供給空気量に関する指示である。言い換えると、空調用メインコントローラＫ４０は、空調用ファンユニットＫ３０ａ〜Ｋ３０ｄを制御する複数のダンパコントローラに、複数の指示を送信する。空調用ファンユニットＫ３０ａ〜Ｋ３０ｄのダンパコントローラは、供給空気量を目標供給空気量に近づけるようにダンパＫ３８の開度を制御する。
【０２０３】
さらに詳細に説明すると、例えば、空調用ファンユニットＫ３０ａ〜Ｋ３０ｄのダンパコントローラは、それぞれ、空調用ファンユニットＫ３０ａ〜Ｋ３０ｄの差圧センサＫ１２１で検知される空調用ファンユニットＫ３０ａの中を通過する風量（供給空気量）と目標風量（目標供給空気量）とを比較する。空調用ファンユニットＫ３０ａ〜Ｋ３０ｄのダンパコントローラは、それぞれ、空調用ファンユニットＫ３０ａ〜Ｋ３０ｄの中を通過する風量が目標風量よりも小さければ、駆動モータＫ３９によりダンパＫ３８の開度を増加させて、空調用ファンユニットＫ３０ａ〜Ｋ３０ｄの風量（供給空気量）を増加させて目標風量に近づける。逆に、空調用ファンユニットＫ３０ａ〜Ｋ３０ｄの中を通過する風量が目標風量よりも大きければ、それぞれ、駆動モータＫ３９によりダンパＫ３８の開度を減少させて、空調用ファンユニットＫ３０ａ〜Ｋ３０ｄの風量（供給空気量）を減少させて目標風量に近づける。
【０２０４】
例えば、複数のアクチュエータとして、風向板用モータＫ７５を用いてもよい。送風ファンＫ３２のファンモータＫ３３は、変形例Ｊと同様の回転数を変更できるタイプのモータであってもよいが、回転数を変更できないタイプのモータであってもよい。ファンモータＫ３３が回転数を変更できないタイプであるときには、例えば、ダンパＫ３８と風向板Ｋ７４の両方またはいずれか一方で空調用ファンユニットＫ３０から吹出口ユニットＫ７０への供給空気量（風量）を変更することになる。それに対して、ファンモータＫ３３が回転数を変更できるタイプであるときには、ダンパＫ３８と風向板Ｋ７４の両方またはいずれか一方の開度の変更だけでなく、ファンモータＫ３３の回転数の変更も合わせて空調用ファンユニットＫ３０及び吹出口ユニットＫ７０から室内ＳＩへの供給空気量（風量）を変更することになる。
【０２０５】
ファンモータＫ３３が回転数を変更できないタイプであって、風向板Ｋ７４だけで空調用ファンユニットＫ３０から吹出口ユニットＫ７０への供給空気量（風量）を変更する場合、空調用ファンコントローラＫ３４に代えて風向板コントローラが設けられる。空調用メインコントローラＫ４０は、算出した供給空気量を目標供給空気量として、複数の風向板コントローラに送信する。空調用メインコントローラＫ４０は、例えば、空調用ファンユニットＫ３０ａ〜Ｋ３０ｄに取り付けられている風向板コントローラに、空調用ファンユニットＫ３０ａ〜Ｋ３０ｄの目標供給空気量を送信する。この空調用ファンユニットＫ３０ａ〜Ｋ３０ｄの目標供給空気量が、空調用ファンユニットＫ３０ａ〜Ｋ３０ｄの供給空気量に関する指示である。言い換えると、空調用メインコントローラＫ４０は、空調用ファンユニットＫ３０ａ〜Ｋ３０ｄを制御する複数の風向板コントローラに、複数の指示を送信する。空調用ファンユニットＫ３０ａ〜Ｋ３０ｄの風向板コントローラは、供給空気量を目標供給空気量に近づけるように風向板Ｋ７４の開度を制御する
さらに詳細に説明すると、例えば、空調用ファンユニットＫ３０ａ〜Ｋ３０ｄの風向板コントローラは、それぞれ、空調用ファンユニットＫ３０ａ〜Ｋ３０ｄの差圧センサＫ１２１で検知される空調用ファンユニットＫ３０ａの中を通過する風量（供給空気量）と目標風量（目標供給空気量）とを比較する。空調用ファンユニットＫ３０ａ〜Ｋ３０ｄの風向板コントローラは、それぞれ、空調用ファンユニットＫ３０ａ〜Ｋ３０ｄの中を通過する風量が目標風量よりも小さければ、風向板用モータＫ７５により風向板Ｋ７４の開度を増加させて、空調用ファンユニットＫ３０ａ〜Ｋ３０ｄの風量（供給空気量）を増加させて目標風量に近づける。逆に、空調用ファンユニットＫ３０ａ〜Ｋ３０ｄの中を通過する風量が目標風量よりも大きければ、それぞれ、風向板用モータＫ７５により風向板Ｋ７４の開度を減少させて、空調用ファンユニットＫ３０ａ〜Ｋ３０ｄの風量（供給空気量）を減少させて目標風量に近づける。
【０２０６】
（４−１０−３−１）
変形例Ｊの空気調和システムＫ１も、変形例Ｉの（５‐１）で説明した特徴を有している。
【０２０７】
（４−１０−３−２）
変形例Ｊの空調用コントローラＫ３００が、複数の空調用ファンユニットＫ３０ａ〜Ｋ３０ｄの供給空気量に関する複数の指示により複数のアクチュエータを制御する。変形例Ｊのアクチュエータは、ファンモータＫ３３、駆動モータＫ３９及び風向板用モータＫ７５のうちの少なくとも一つである。このような制御により、空気調和システムＫ１は、利用側熱交換器Ｋ１１で効率的に熱交換できるように利用側熱交換器Ｋ１１を通過する風量を調整でき、空気調和システムＫ１のエネルギー消費を抑制することができる。変形例Ｊでは、空調用コントローラＫ３００の複数の空調用ファンコントローラＫ３４、複数のダンパコントローラ及び複数の風向板コントローラのうちの少なくとも一つが、複数のアクチュエータを制御する。
【０２０８】
（４−１０−３−３）
変形例Ｊの空気調和システムＫ１の空調用コントローラＫ３００は、複数の指示を送信する空調用メインコントローラＫ４０と、空調用メインコントローラＫ４０から複数の指示を受信する少なくとも一つのサブコントローラとを含んでいる。変形例Ｊのサブコントローラには、空調用ファンコントローラＫ３４、ダンパコントローラ及び風向板コントローラがある。少なくとも一つのサブコントローラが、複数の指示に基づき、複数のアクチュエータを制御する。例えば、複数のアクチュエータが複数のファンモータＫ３３のみの場合、空調用ファンコントローラＫ３４とファンモータＫ３３が１対１に対応するように設けられてもよい。また、１つの空調用ファンコントローラＫ３４に対して複数のファンモータＫ３３が対応するように設けられてもよい。このような空気調和システムＫ１では、空調用メインコントローラＫ４０が、少なくとも一つのサブコントローラを介して複数のアクチュエータを制御するので、空調用メインコントローラＫ４０の制御が単純化されてダクト設計及びシステムのレイアウト変更が容易になる。
【０２０９】
（４−１０−３−４）
変形例Ｊの空気調和システムＫ１では、複数の空調用ファンユニットＫ３０ａ〜Ｋ３０ｄの各々が、ユニット内を通過する風量を検知する風量検知部である差圧センサＫ１２１または風速センサを有する。複数のサブコントローラの各々が、風量検知部により検知される風量を空調用コントローラＫ３００に指示された供給空気量に近づけるようにファンモータＫ３３ａ〜Ｋ３３ｄの回転数を制御する。それにより、空調用コントローラＫ３００による空調用ファンユニットＫ３０ａ〜Ｋ３０ｄの供給空気量の制御を確実に行うことができる。
【０２１０】
（４−１０−３−５）
変形例Ｊの空気調和システムＫ１では、空調用コントローラＫ３００が、複数の空調用ファンユニットＫ３０ａ〜Ｋ３０ｄの各々の調整する室内空気温度と設定温度との温度差及び送風温度から空調用ファンユニットＫ３０ａ〜Ｋ３０ｄの各々の供給空気量を算出し、算出した供給空気量に基づいて複数の指示を決定する。その結果、空気調和システムＫ１は、供給空気量の変更により、室内ＳＩの温度制御が容易になる。
【０２１１】
（４−１１）変形例Ｋ
上記実施形態の空気処理システム１は、後述する空気調和システム５１０と組み合わせて空調対象空間である室内ＳＩの空気の処理を行うように構成されてもよい。
【０２１２】
（４−１１−１）全体構成
図２３に示されている空気調和システム５１０は、熱交換器ユニット５２０と、空調用ファンユニット５３０と、複数のダクト５４０と、空調用コントローラ５５０とを備えている。熱交換器ユニット５２０は、第２ファン５２１を有する。複数の空調用ファンユニット５３０は、それぞれ、第１ファン５３１を有する。各第１ファン５３１は、空気を空調用ファンユニット５３０から室内ＳＩに供給する。室内ＳＩは、例えば、建物内の部屋である。部屋は、例えば、床、天井及び壁によって空気の移動が制限された空間である。１つまたは複数の空間を含む室内ＳＩに対して、複数の空調用ファンユニット５３０が配設される。図２３には、複数の空調用ファンユニット５３０を備える空気調和システム５１０の代表例として、２つの空調用ファンユニット５３０を備える空気調和システム５１０が１つの室内ＳＩに対して配設されている例が示されている。空調用ファンユニット５３０の個数は、３以上であってもよく、適宜設定されるものである。先にも述べたが、空調用ファンユニット５３０が配設される室内ＳＩは、２以上の空間であってもよい。
【０２１３】
ダクト５４０は、熱交換器ユニット５２０から第２ファン５２１により送出される空気ＳＡｒを、複数の空調用ファンユニット５３０に分配する。ダクト５４０は、主管５４１と、主管５４１から分岐した枝管５４２とを含んでいる。図２３では、主管５４１が、熱交換器ユニット５２０の外に配置されている場合が示されているが、主管５４１は、熱交換器ユニット５２０の中に配置されてもよく、また熱交換器ユニット５２０の中から熱交換器ユニット５２０の外まで延びるように配置されてもよい。主管５４１は、熱交換器ユニット５２０の中に配置されている場合には、熱交換器ユニット５２０のケーシングの一部が主管５４１として機能する場合も含む。図２３では、主管５４１の入口５４１ａは、熱交換器ユニット５２０に接続されている例が示されている。第２ファン５２１は、熱交換器ユニット５２０内に配置されている。ここでは、第２ファン５２１から吹出される空気は、全てダクト５４０に流れ込むように構成されている。
【０２１４】
ダクト５４０の主管５４１の出口５４１ｂは、枝管５４２の入口５４２ａに接続されている。枝管５４２の複数の出口５４２ｂは、複数の空調用ファンユニット５３０に接続されている。
【０２１５】
各空調用ファンユニット５３０と、室内ＳＩとは、通風路５８１により繋がっている。通風路５８１の入口５８１ａが空調用ファンユニット５３０に接続されている。通風路５８１の出口５８１ｂが室内ＳＩに接続されている。各第１ファン５３１は、空調用ファンユニット５３０の中で、ダクト５４０の出口５４２ｂから通風路５８１の入口５８１ａに向う気流を発生させる。これは別の観点で見ると、各第１ファン５３１は、枝管５４２の出口５４２ｂから空気ＳＡｒを吸引しているということである。各第１ファン５３１は、回転数を変更することにより各空調用ファンユニット５３０の中（通風路５８１の入口５８１ａの手前）の静圧を変更することができる。各第１ファン５３１は、ダクト５４０の静圧が一定であるとすると、回転数を大きくすることにより、各空調用ファンユニット５３０の中（通風路５８１の入口５８１ａの手前）の静圧を高くすることができる。空調用ファンユニット５３０の中の静圧が高くなると、通風路５８１を流れる空気ＳＡｒの空気量が多くなる。このように流れる空気量が変わることによって、各通風路５８１の出口５８１ｂから室内ＳＩに吹出される供給空気量が変わる。
【０２１６】
空調用コントローラ５５０は、空調用メインコントローラ５５１と複数の空調用サブコントローラ５５２とを含んでいる。空調用メインコントローラ５５１と複数の空調用サブコントローラ５５２とが互いに接続されて、空調用コントローラ５５０が構成されている。空調用メインコントローラ５５１は、第２ファン５２１の回転数を制御する。言い換えると、空調用メインコントローラ５５１が第２ファン５２１の出力を制御する。第２ファン５２１の出力が高くなれば、第２ファン５２１の送風量が多くなる方向に第２ファン５２１の状態が変わる。
【０２１７】
各空調用ファンユニット５３０に対しては、１つの空調用サブコントローラ５５２が設けられている。各空調用サブコントローラ５５２は、対応する第１ファン５３１のファンモータ５３１ａに風量変更に関する指示を出す。各空調用サブコントローラ５５２は、目標風量（目標供給空気量）を記憶している。各空調用サブコントローラ５５２は、目標風量に対して供給空気量が不足していれば第１ファン５３１のファンモータ５３１ａの回転数を増加させる指示（風量変更に関する指示）を出す。逆に、空調用サブコントローラ５５２は、目標風量に対して供給空気量が過剰であれば、第１ファン５３１のファンモータ５３１ａの回転数を減少させる指示（風量変更に関する指示）を出す。風量変更に関する指示が、空調用ファンユニット５３０の供給空気量に関する指示である。
【０２１８】
空調用コントローラ５５０は、複数の第１ファン５３１により室内ＳＩに供給される供給空気量の情報を得る。供給空気量の情報は、例えば、１秒間当たりに室内ＳＩに供給すべき空気量であり、この供給すべき空気量を言い換えると必要供給空気量ということになる。得られた供給空気量の情報を基に第２ファン５２１の要求出力を決定する。空調用コントローラ５５０は、決定した要求出力になるように、第２ファン５２１の出力を制御する。具体的には、各空調用サブコントローラ５５２が、対応する空調用ファンユニット５３０から、当該空調用ファンユニット５３０の供給空気量の情報を得ている。各空調用サブコントローラ５５２は、供給空気量の情報を空調用メインコントローラ５５１に出力する。
【０２１９】
（４−１１−２）詳細構成
（４−１１−２−１）熱交換器ユニット５２０
熱交換器ユニット５２０は、既に説明した第２ファン５２１以外に、利用側熱交換器５２２、第１風量検知手段５２３、温度センサ５２４及び水量調整弁５２５を有している。利用側熱交換器５２２には、熱源ユニット５６０から熱媒体として例えば冷水または温水が供給される。利用側熱交換器５２２に供給される熱媒体は、冷水または温水以外のもの、例えばブラインであってもよい。第１風量検知手段５２３には、例えば、風量センサ、風速センサまたは差圧センサを用いることができる。
【０２２０】
第１風量検知手段５２３は、第２ファン５２１が送風する風量を検知する。第１風量検知手段５２３は、空調用メインコントローラ５５１に接続されている。第１風量検知手段５２３が検知した風量の値は、第１風量検知手段５２３から空調用メインコントローラ５５１に送信される。第１風量検知手段５２３が検知した風量は、ダクト５４０の主管５４１を流れる風量である。言い換えると、第１風量検知手段５２３が検知した風量は、複数の空調用ファンユニット５３０から室内ＳＩに供給される供給空気量の総量になる。
【０２２１】
温度センサ５２４は、第２ファン５２１からダクト５４０に送られる空気ＳＡｒの温度を検知する。温度センサ５２４は、空調用メインコントローラ５５１に接続されている。温度センサ５２４が検知した温度の値は、温度センサ５２４から空調用メインコントローラ５５１に送信される。
【０２２２】
熱交換器ユニット５２０は、通風路５８２を介して、室内ＳＩに繋がっている。通風路５８２を通って室内ＳＩから戻ってきた空気ＲＡｒは、第２ファン５２１により、利用側熱交換器５２２を通ってダクト５４０に送り出される。利用側熱交換器５２２を通るときに、空気ＲＡｒは、利用側熱交換器５２２を流れる冷水または温水と熱交換して調和空気になる。利用側熱交換器５２２で熱交換をしてダクト５４０に送り出される空気ＳＡｒに与えられる熱量は、水量調整弁５２５によって調整される。水量調整弁５２５の開度は、空調用メインコントローラ５５１により制御される。水量調整弁５２５の開度が大きくなれば、利用側熱交換器５２２に流れる水量が多くなり、利用側熱交換器５２２と空気ＳＡｒとの間で単位時間あたりに交換される熱量が多くなる。逆に、水量調整弁５２５の開度が小さくなれば、利用側熱交換器５２２に流れる水量が少なくなり、利用側熱交換器５２２と空気ＳＡｒとの間の単位時間あたりの熱交換量が少なくなる。
【０２２３】
（４−１１−２−２）空調用ファンユニット５３０
空調用ファンユニット５３０は、既に説明した第１ファン５３１以外に、第２風量検知手段５３２を有している。第２風量検知手段５３２は、第１ファン５３１が送風する風量を検知する。各第２風量検知手段５３２は、対応する１つの空調用サブコントローラ５５２に接続されている。第２風量検知手段５３２が検知した風量の値は、空調用サブコントローラ５５２に送信される。第２風量検知手段５３２が検知した風量は、通風路５８１を流れる風量である。言い換えると、第２風量検知手段５３２が検知した風量は、各空調用ファンユニット５３０から室内ＳＩに供給される供給空気量になる。第２風量検知手段５３２には、例えば、風量センサ、風速センサまたは差圧センサを用いることができる。
【０２２４】
（４−１１−２−３）リモートセンサ５７０
複数のリモートセンサ５７０は、温度センサの機能を有している。各リモートセンサ５７０は、対応する空調用サブコントローラ５５２に、室内ＳＩの温度を示すデータを送信できるように構成されている。
【０２２５】
（４−１１−３）空気調和システム５１０の動作
複数の空調用サブコントローラ５５２は、それぞれ、接続されているリモートセンサ５７０から、検知した対象空間の温度の値を受信する。各空調用サブコントローラ５５２は、設定温度を示すデータを保持している。例えば、リモートコントローラ（図示せず）などから、各空調用サブコントローラ５５２に設定温度を示すデータが予め送信される。各空調用サブコントローラ５５２は、リモートコントローラなどから受信した設定温度を示すデータを内蔵するメモリなどの記憶装置５５２ｂ（図２４参照）に記憶している。各空調用サブコントローラ５５２が設定温度の値を空調用メインコントローラ５５１に送信する。空調用メインコントローラ５５１は、設定温度に基づき、対応するリモートセンサ５７０の検知した温度に応じて、各空調用ファンユニット５３０の目標風量を決定する。空調用メインコントローラ５５１は、目標風量の値を各空調用サブコントローラ５５２に送信する。
【０２２６】
空調用メインコントローラ５５１は、室内ＳＩに供給すべき目標風量の総量に応じて、第２ファン５２１の出力を決定する。
【０２２７】
例えば、主管５４１の出口５４１ｂ（枝管５４２の入口５４２ａ）の静圧が主管５４１の入口５４１ａの静圧と枝管５４２の出口５４２ｂの静圧の中間の値をとる場合と、中間の値よりも大きな値をとる場合とを比較すると、中間の値よりも大きな値をとる場合の方が第２ファン５２１の出力の割合が複数の第１ファン５３１の出力の割合よりも大きくなる。逆に、主管５４１の出口５４１ｂ（枝管５４２の入口５４２ａ）の静圧が当該中間の値をとる場合と中間の値よりも小さな値をとる場合とを比較すると、小さな値をとる場合の方が第２ファン５２１の出力の割合が複数の第１ファン５３１の出力の割合よりも小さくなる。第２ファン５２１の出力と複数の第１ファン５３１の出力の割合には、効率の良い範囲がある。そこで、空調用メインコントローラ５５１は、効率の良い割合になるように、第２ファン５２１の出力を決定する。言い換えると、それは、空調用メインコントローラ５５１が、目標風量の総量に対して、予め定められている適切な出力に、第２ファン５２１の出力を決定する、ということである。
【０２２８】
例えば、第２ファン５２１の出力の次のような決定方法を考えれば、第２ファン５２１の出力に消費電力の削減に適した第２ファン５２１の出力の範囲があることが分かる。第２ファン５２１の出力を上げて第２ファン５２１及び複数の第１ファン５３１の消費電力の総計が上がるのであれば、第２ファン５２１の出力を徐々に下げ、第２ファン５２１及び複数の第１ファン５３１の消費電力の総計が再び上昇に転じる前の第２ファン５２１の出力に決定すれば、その決定された出力の範囲が他の範囲よりも消費電力が小さな範囲になる。逆に、第２ファン５２１の出力を下げて第２ファン５２１及び複数の第１ファン５３１の消費電力の総計が上がるのであれば、第２ファン５２１の出力を徐々に上げ、第２ファン５２１及び複数の第１ファン５３１の消費電力の総計が再び上昇に転じる前の第２ファン５２１の出力に決定すれば、その決定された出力の範囲が他の範囲よりも消費電力が小さな範囲になる。第２ファン５２１の出力を上げて第２ファン５２１及び複数の第１ファン５３１の消費電力の総計が下がるのであれば、第２ファン５２１の出力を徐々に上げ、第２ファン５２１及び複数の第１ファン５３１の消費電力の総計が再び上昇に転じる前の第２ファン５２１の出力に決定すれば、その決定された出力の範囲が他の範囲よりも消費電力が小さな範囲になる。逆に、第２ファン５２１の出力を下げて第２ファン５２１及び複数の第１ファン５３１の消費電力の総計が下がるのであれば、第２ファン５２１の出力を徐々に下げ、第２ファン５２１及び複数の第１ファン５３１の消費電力の総計が再び上昇に転じる前の第２ファン５２１の出力に決定すれば、その決定された出力の範囲が他の範囲よりも消費電力が小さな範囲になる。ただし、第２ファン５２１の適切な出力を決定するのはこのような方法には限られない。
【０２２９】
空調用メインコントローラ５５１が目標風量を決定して目標風量の値を各空調用サブコントローラ５５２に送信した後、ファン効率が最も高い空調用ファンユニット５３０以外の各空調用ファンユニット５３０は、対応する空調用サブコントローラ５５２により第１ファン５３１のファンモータ５３１ａの回転数（第１ファン５３１の回転数）を調整される。複数の第１ファン５３１のファンモータ５３１ａの回転数の調整は互いに独立して行われる。
このとき、決定された第２ファン５２１の出力において、ファン効率が最も高い空調用ファンユニット５３０の第１ファン５３１のファンモータ５３１ａの回転数が最大になっている。ここで、ファン効率が最も高い空調用ファンユニット５３０は、枝管５４２の入口５４２ａの静圧が同じで室内ＳＩに供給する供給空気量が同じ場合に、消費エネルギーが最も小さい空調用ファンユニット５３０である。また、ファン効率が最も低い空調用ファンユニット５３０は、枝管５４２の入口５４２ａの静圧が同じで室内ＳＩに供給する供給空気量が同じ場合に、消費エネルギーが最も大きい空調用ファンユニット５３０である。
【０２３０】
各空調用サブコントローラ５５２は、供給空気量を目標風量に一致させるべく、各第１ファン５３１のファンモータ５３１ａの回転数を制御する。複数の空調用サブコントローラ５５２は、互いに独立して、複数の第１ファン５３１のファンモータ５３１ａの回転数を制御する。各空調用サブコントローラ５５２は、目標風量に対して、第２風量検知手段５３２が検知した風量が小さければ、各第１ファン５３１のファンモータ５３１ａの回転数を増加させる。各空調用サブコントローラ５５２は、目標風量に対して、第２風量検知手段５３２が検知した風量が多ければ、各第１ファン５３１のファンモータ５３１ａの回転数を減少させる。もし、ファン効率が最も高い空調用ファンユニット５３０の回転数が下がったときには、空調用メインコントローラ５５１は、第２ファン５２１の出力を変更して、ファン効率が最も高い空調用ファンユニット５３０の回転数が最大になるように調整する。
【０２３１】
空調用メインコントローラ５５１は、複数の第１ファン５３１の中の少なくとも１台の第１ファン５３１の運転状態または複数の第１ファン５３１の中の少なくとも１台の第１ファン５３１の風量を変更するときには、第２ファン５２１及び複数の第１ファン５３１の中のファン効率の高いファンの出力を増やすことを優先するかまたはファン効率の低いファンの出力を減らすことを優先する。言い換えると、空調用メインコントローラ５５１は、室内ＳＩへの供給空気量を多くする場合には、第２ファン５２１及び複数の第１ファン５３１の中のファン効率の高いファンの出力を増やすように、第２ファン５２１の出力及び複数の空調用ファンユニット５３０の目標風量を決定する。逆に、空調用メインコントローラ５５１は、室内ＳＩへの供給空気量を少なくする場合には、第２ファン５２１及び複数の第１ファン５３１の中のファン効率の高いファンの出力を減らすように、第２ファン５２１の出力及び複数の空調用ファンユニット５３０の目標風量を決定する。
【０２３２】
しかし、空調用メインコントローラ５５１は、複数の空調用ファンユニット５３０の中のファン効率が最大のものの風量が目標風量に達しない場合には、第１ファン５３１の出力を増加させる。このとき、空調用メインコントローラ５５１は、第１ファン５３１の出力を増加させ且つ、ファン効率が最大の空調用ファンユニット５３０の第１ファン５３１のファンモータ５３１ａの回転数を最大に保たせる。
【０２３３】
（１２）コントローラ
空調用コントローラ５５０はコンピュータにより実現されるものである。空調用コントローラ５５０は、制御演算装置５５１ａ，５５２ａと記憶装置５５１ｂ，５５２ｂとを備える。制御演算装置５５１ａ，５５２ａには、ＣＰＵ又はＧＰＵといったプロセッサを使用できる。制御演算装置５５１ａ，５５２ａは、記憶装置５５１ｂ，５５２ｂに記憶されているプログラムを読み出し、このプログラムに従って所定の画像処理や演算処理を行う。さらに、制御演算装置５５１ａ，５５２ａは、プログラムに従って、演算結果を記憶装置５５１ｂ，５５２ｂに書き込んだり、記憶装置５５１ｂ，５５２ｂに記憶されている情報を読み出したりすることができる。図２４は、制御演算装置５５１ａ，５５２ａにより実現される各種の機能ブロックを示している。記憶装置５５１ｂ，５５２ｂは、データベースとして用いることができる。
【０２３４】
（４−１１−４）
熱交換器ユニット５２０には、図２５及び図２６に示されているように、外気導入ユニット６１０が取り付けられてもよい。外気導入ユニット６１０は、第３ファン６１１及び第３風量検知手段６１２を有している。外気導入ユニット６１０は、第３ファン６１１により、室内ＳＩの外から外気ＯＡｒを取り入れて熱交換器ユニット５２０に送風する。第３風量検知手段６１２は、熱交換器ユニット５２０に送られる外気ＯＡｒの風量を検知する。第３風量検知手段６１２は、検知した外気ＯＡｒの送風量の値を空調用メインコントローラ５５１に送信する。外気導入ユニット６１０から外気ＯＡｒが熱交換器ユニット５２０に送られる場合に、空調用メインコントローラ５５１は、第２ファン５２１の出力の制御について外気ＯＡｒの送風量に応じた補正を行うように構成されてもよい。第３風量検知手段６１２には、例えば、風量センサ、風速センサまたは差圧センサを用いることができる。
【０２３５】
（４−１１−５−１）
変形例Ｋの空気調和システム５１０は、空調用コントローラ５５０と、複数のダクト５４０と、複数の空調用ファンユニット５３０とを備えている。複数のダクト５４０は、熱交換器ユニット５２０の利用側熱交換器５２２を通過した調和空気を分配するためのものである。複数の空調用ファンユニット５３０は、複数のダクト５４０に対応して設けられ、熱交換器ユニット５２０から複数のダクト５４０を介して室内ＳＩに調和空気を供給する。複数のアクチュエータである複数のファンモータ５３１ａは、室内ＳＩに供給する調和空気の供給空気量を変更できるように構成されている。複数のダクト５４０の各々が、複数の分配流路のうちの一つに配置されている。複数の空調用ファンユニット５３０の各々が、第１ファン有し、複数の分配流路のうちの一つに配置されている。複数のアクチュエータの各々が、複数の分配流路のうちの一つに配置されている。空調用コントローラ５５０が、複数のファンモータ５３１ａ制御することにより、複数の空調用ファンユニット５３０の供給空気量をそれぞれ制御する。その結果、変形例Ｋの空気調和システム５１０は、利用側熱交換器５２２で効率的に熱交換できるように利用側熱交換器５２２を通過する風量を調整でき、エネルギー消費を抑制することができる。
【０２３６】
（４−１１−５−２）
変形例Ｋの空気調和システム５１０では、空調用コントローラ５５０が、複数の空調用ファンユニット５３０の供給空気量に関する複数の指示により複数のファンモータ５３１ａを制御する。そのため、空調用コントローラ５５０が複数のファンモータ５３１ａに供給空気量に関する指示より複数のファンモータ５３１ａを制御し、利用側熱交換器５２２で効率的に熱交換できるように利用側熱交換器５２２を通過する風量を調整して、エネルギー消費を抑制する。
【０２３７】
（４−１１−５−３）
変形例Ｋの空気調和システム５１０では、空調用コントローラ５５０が、複数の指示を送信する空調用メインコントローラ５５１と、空調用メインコントローラ５５１から複数の指示を受信する少なくとも一つの空調用サブコントローラ５５２とを含む。少なくとも一つの空調用サブコントローラ５５２が、複数の指示に基づき、複数のファンモータ５３１ａを制御する。その結果、空調用メインコントローラ５５１の制御が単純化されてダクト設計及びシステムのレイアウト変更が容易になる。
【０２３８】
（４−１１−５−４）
変形例Ｋの空気調和システム５１０では、複数の空調用ファンユニット５３０の各々が、ユニット内を通過する風量を検知する風量検知部である第２風量検知手段５３２を有している。複数の空調用サブコントローラ５５２の各々が、第２風量検知手段５３２により検知される風量を空調用メインコントローラ５５１に指示された供給空気量に近づけるようにファンモータ５３１ａの回転数を制御する。その結果、空調用サブコントローラ５５２による空調用ファンユニット５３０の供給空気量の制御を確実に行うことができる。
【０２３９】
（４−１１−５−５）
変形例Ｋの空気調和システム５１０では、空調用コントローラ５５０が、複数の空調用ファンユニット５３０の各々の調整する室内空気温度と設定温度との温度差及び送風温度から各空調用ファンユニット５３０の供給空気量を算出し、算出した供給空気量に基づいて複数の指示を決定する。そのため、空気調和システム５１０では、供給空気量の変更により、空調対象空間の温度制御が容易になる。
【０２４０】
（４−１１−５−６）
変形例Ｋの空気調和システム５１０では、熱交換器ユニット５２０が、第２ファン５２１を有している。この空気調和システム５１０では、空調用コントローラ５５０が、複数の空調用ファンユニット５３０の供給空気量に基づき、第２ファン５２１を制御する。このように、空調用コントローラ５５０が、複数の第１ファン５３１の供給空気量に合わせて適正な値なるように第２ファン５２１を制御でき、空気調和システム５１０の消費エネルギーが抑制される。
【０２４１】
（４−１１−５−７）
変形例Ｋの空気調和システム５１０では、熱交換器ユニット５２０が、第２ファン５２１を有している。この空気調和システム５１０では、空調用コントローラ５５０が、空調用メインコントローラ５５１と、複数の空調用サブコントローラ５５２を含んでいる。空調用メインコントローラ５５１は、空調用ファンユニット５３０の供給空気量に関する複数の指示により複数のファンモータ５３１ａを制御する。空調用サブコントローラ５５２は、空調用メインコントローラ５５１が送信した複数の指示を受信して複数のファンモータ５３１ａを制御する。空調用メインコントローラ５５１が、複数の指示により指示する供給空気量の総量に対して予め定められている出力になるよう、第２ファン５２１を制御する。その結果、空気調和システム５１０では、複数の第１ファン５３１の供給空気量に合わせて第２ファン５２１の出力を適正な値にするための第２ファン５２１の制御が容易になる。
【０２４２】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０２４３】
１  空気処理システム
１０  空気処理ユニット
２０  給気ファンユニット
２０ａ  第１給気ファンユニット
２０ｂ  第２給気ファンユニット
２２  第１ファン
２３  第１風量検出部
２４  ファンコントローラ（第１制御部の例）
３０  排気ファンユニット
３０ａ  第１排気ファンユニット
３０ｂ  第２排気ファンユニット
３２  第２ファン
３３  第２風量検出部
３４  ファンコントローラ（第２制御部の例）
５０  外気ダクト
６０  給気ダクト
６２ａ  第１分岐ダクト（第１給気ダクトの例）
６２ｂ  第２分岐ダクト（第２給気ダクトの例）
７０  還気ダクト
７２ａ  第１分岐ダクト（第１還気ダクトの例）
７２ｂ  第２分岐ダクト（第２還気ダクトの例）
８０  排気ダクト
４００  コントローラ
【先行技術文献】
【特許文献】
【０２４４】
【特許文献１】台湾実用新案Ｍ５６６８０１号
【要約】
【課題】空気処理システムにおいて、随時変化する要求風量に応じて、風量の制御をする。
【解決手段】給気ファンユニット２０は、空気処理ユニット１０から分離して設けられ、室外から室外空気を空気処理ユニット１０に送り且つ空気処理ユニット１０で処理された室外空気を室内に送る。排気ファンユニット３０と、空気処理ユニット１０から分離して設けられ、室内から室内空気を空気処理ユニット１０に送り且つ空気処理ユニット１０で処理された室内空気を室外に送る。コントローラは、第１風量検出部の第１検出値に基づいて第１ファンの回転数を制御し、第２風量検出部の第２検出値に基づいて第２ファンの回転数を制御する。
【選択図】図１【図１】
0006860107.tif 000002
【図２】
0006860107.tif 000003
【図３】
0006860107.tif 000004
【図４】
0006860107.tif 000005
【図５】
0006860107.tif 000006
【図６】
0006860107.tif 000007
【図７】
0006860107.tif 000008
【図８】
0006860107.tif 000009
【図９】
0006860107.tif 000010
【図１０】
0006860107.tif 000011
【図１１】
0006860107.tif 000012
【図１２】
0006860107.tif 000013
【図１３】
0006860107.tif 000014
【図１４】
0006860107.tif 000015
【図１５】
0006860107.tif 000016
【図１６】
0006860107.tif 000017
【図１７】
0006860107.tif 000018
【図１８】
0006860107.tif 000019
【図１９】
0006860107.tif 000020
【図２０】
0006860107.tif 000021
【図２１】
0006860107.tif 000022
【図２２】
0006860107.tif 000023
【図２３】
0006860107.tif 000024
【図２４】
0006860107.tif 000025
【図２５】
0006860107.tif 000026
【図２６】
0006860107.tif 000027